(57)【要約】      （修正有）【課題】ネットワーク中の１つ以上のノードが、閉じられた加入者グループへのアクセス端末のインバウンドハンドオーバーに対するアクセス制御を提供する。【解決手段】ターゲットアクセスポイントの閉じられた加入者グループ識別子が、アクセス端末に対する閉じられた加入者グループ加入情報中にリストされているか否かに基づいて、ハンドオーバーが許可されているか否かを、ソースアクセスポイント、ネットワークノード、または、ターゲットアクセスポイントのうちの少なくとも１つが決定する。【選択図】図１
2014131324.tif 000002
【特許請求の範囲】
【請求項１】
通信の方法において、
第１のアクセスポイントにおいて、アクセス端末に対する接続を確立することと、
前記第１のアクセスポイントにおいて、前記アクセス端末に対する閉じられた加入者グループ加入情報を受信することと、
前記受信した閉じられた加入者グループ情報に基づいて、前記アクセス端末を第２のアクセスポイントにハンドオーバーすることを許可するか否かを決定することとを含み、
前記閉じられた加入者グループ加入情報は、前記アクセス端末がアクセスすることが許可されている少なくとも１つの閉じられた加入者グループを識別する方法。
【請求項２】
前記第１のアクセスポイントは、ハンドオーバー制限リストを通して、前記閉じられた加入者グループ加入情報を受信する請求項１記載の方法。
【請求項３】
前記決定に基づいて、前記第２のアクセスポイントに対してハンドオーバー要求メッセージを送ることをさらに含み、前記ハンドオーバー要求メッセージは、前記閉じられた加入者グループ加入情報を含む請求項１記載の方法。
【請求項４】
前記ハンドオーバー要求メッセージ中の前記閉じられた加入者グループ加入情報は、ハンドオーバー制限リストの中に含まれている請求項３記載の方法。
【請求項５】
前記決定に基づいて、ネットワークノードに対してハンドオーバー必要メッセージを送ることをさらに含む請求項１記載の方法。
【請求項６】
前記ネットワークノードは、モビリティマネージャーを含む請求項５記載の方法。
【請求項７】
前記閉じられた加入者グループ加入情報は、少なくとも１つの閉じられた加入者グループ識別子のリストを含み、
前記決定は、前記第２のアクセスポイントに関係付けられている閉じられた加入者グループ識別子が、前記リスト中にあるか否かを決定することを含む請求項１記載の方法。
【請求項８】
前記決定は、前記アクセス端末からの測定報告によりトリガされる請求項７記載の方法。
【請求項９】
前記第２のアクセスポイントは、フェムトアクセスポイントを含む請求項１記載の方法。
【請求項１０】
通信のための装置において、
第１のアクセスポイントにおいて、アクセス端末に対する接続を確立するように構成され、前記第１のアクセスポイントにおいて、前記アクセス端末に対する閉じられた加入者グループ加入情報を受信するようにさらに構成されている通信制御装置と、
前記受信した閉じられた加入者グループ情報に基づいて、前記アクセス端末を第２のアクセスポイントにハンドオーバーすることを許可するか否かを決定するように構成されているハンドオーバー制御装置とを具備し、
前記閉じられた加入者グループ加入情報は、前記アクセス端末がアクセスすることが許可されている少なくとも１つの閉じられた加入者グループを識別する装置。
【請求項１１】
前記第１のアクセスポイントは、ハンドオーバー制限リストを通して、前記閉じられた加入者グループ加入情報を受信する請求項１０記載の装置。
【請求項１２】
前記通信制御装置は、前記決定に基づいて、前記第２のアクセスポイントに対してハンドオーバー要求メッセージを送るようにさらに構成され、前記ハンドオーバー要求メッセージは、前記閉じられた加入者グループ加入情報を含む請求項１０記載の装置。
【請求項１３】
前記通信制御装置は、前記決定に基づいて、ネットワークノードに対してハンドオーバー必要メッセージを送るようにさらに構成されている請求項１０記載の装置。
【請求項１４】
前記閉じられた加入者グループ加入情報は、少なくとも１つの閉じられた加入者グループ識別子のリストを含み、
前記決定は、前記第２のアクセスポイントに関係付けられている閉じられた加入者グループ識別子が、前記リスト中にあるか否かを決定することを含む請求項１０記載の装置。
【請求項１５】
通信のための装置において、
第１のアクセスポイントにおいて、アクセス端末に対する接続を確立する手段と、
前記第１のアクセスポイントにおいて、前記アクセス端末に対する閉じられた加入者グループ加入情報を受信する手段と、
前記受信した閉じられた加入者グループ情報に基づいて、前記アクセス端末を第２のアクセスポイントにハンドオーバーすることを許可するか否かを決定する手段とを具備し、
前記閉じられた加入者グループ加入情報は、前記アクセス端末がアクセスすることが許可されている少なくとも１つの閉じられた加入者グループを識別する装置。
【請求項１６】
前記第１のアクセスポイントは、ハンドオーバー制限リストを通して、前記閉じられた加入者グループ加入情報を受信する請求項１５記載の装置。
【請求項１７】
前記決定に基づいて、前記第２のアクセスポイントに対してハンドオーバー要求メッセージを送る手段をさらに具備し、前記ハンドオーバー要求メッセージは、前記閉じられた加入者グループ加入情報を含む請求項１５記載の装置。
【請求項１８】
前記決定に基づいて、ネットワークノードに対してハンドオーバー必要メッセージを送る手段をさらに具備する請求項１５記載の装置。
【請求項１９】
前記閉じられた加入者グループ加入情報は、少なくとも１つの閉じられた加入者グループ識別子のリストを含み、
前記決定は、前記第２のアクセスポイントに関係付けられている閉じられた加入者グループ識別子が、前記リスト中にあるか否かを決定することを含む請求項１５記載の装置。
【請求項２０】
コンピュータプログラムプロダクトにおいて、
第１のアクセスポイントにおいて、アクセス端末に対する接続をコンピュータに確立させ、
前記第１のアクセスポイントにおいて、前記アクセス端末に対する閉じられた加入者グループ加入情報を前記コンピュータに受信させ、
前記受信した閉じられた加入者グループ情報に基づいて、前記アクセス端末を第２のアクセスポイントにハンドオーバーすることを許可するか否かを前記コンピュータに決定させるためのコードを含むコンピュータ読取可能媒体を具備し、
前記閉じられた加入者グループ加入情報は、前記アクセス端末がアクセスすることが許可されている少なくとも１つの閉じられた加入者グループを識別するコンピュータプログラムプロダクト。
【請求項２１】
前記第１のアクセスポイントは、ハンドオーバー制限リストを通して、前記閉じられた加入者グループ加入情報を受信する請求項２０記載のコンピュータプログラムプロダクト。
【請求項２２】
前記コンピュータ読取可能媒体は、前記決定に基づいて、前記第２のアクセスポイントに対してハンドオーバー要求メッセージを前記コンピュータに送らせるためのコードをさらに含み、前記ハンドオーバー要求メッセージは、前記閉じられた加入者グループ加入情報を含む請求項２０記載のコンピュータプログラムプロダクト。
【請求項２３】
前記コンピュータ読取可能媒体は、前記決定に基づいて、ネットワークノードに対してハンドオーバー必要メッセージを前記コンピュータに送らせるためのコードをさらに含む請求項２０記載のコンピュータプログラムプロダクト。
【請求項２４】
前記閉じられた加入者グループ加入情報は、少なくとも１つの閉じられた加入者グループ識別子のリストを含み、
前記決定は、前記第２のアクセスポイントに関係付けられている閉じられた加入者グループ識別子が、前記リスト中にあるか否かを決定することを含む請求項２０記載のコンピュータプログラムプロダクト。
【請求項２５】
通信の方法において、
アクセスポイントにおいて、ハンドオーバー要求メッセージを受信することと、
前記ハンドオーバー要求メッセージに応答して、アクセス端末を前記アクセスポイントにハンドオーバーすることを許可するか否かを決定することとを含み、
前記ハンドオーバー要求メッセージは、前記アクセス端末に対する閉じられた加入者グループ加入情報を含み、
前記決定は、前記閉じられた加入者グループ加入情報に基づくものである方法。
【請求項２６】
前記決定は、前記閉じられた加入者グループ加入情報が、前記アクセスポイントに関係付けられている閉じられた加入者グループの識別子を含んでいるか否かを決定することを含む請求項２５記載の方法。
【請求項２７】
前記閉じられた加入者グループ加入情報は、前記アクセス端末がアクセスすることが許可されている少なくとも１つの閉じられた加入者グループを識別する請求項２６記載の方法。
【請求項２８】
前記アクセスポイントは、前記ハンドオーバー要求メッセージ中に含まれているハンドオーバー制限リストを通して、前記閉じられた加入者グループ加入情報を受信する請求項２５記載の方法。
【請求項２９】
前記アクセス端末の前記ハンドオーバーに対するソースアクセスポイントから前記ハンドオーバー要求メッセージを受信する請求項２５記載の方法。
【請求項３０】
前記アクセスポイントへの前記アクセス端末の前記ハンドオーバーが許可されているか否かの表示を、ネットワークノードから受信することをさらに含む請求項２５記載の方法。
【請求項３１】
前記ネットワークノードは、モビリティマネージャーを含む請求項３０記載の方法。
【請求項３２】
ネットワークノードから前記ハンドオーバー要求メッセージを受信する請求項２５記載の方法。
【請求項３３】
前記ネットワークノードは、モビリティマネージャーを含む請求項３２記載の方法。
【請求項３４】
前記アクセスポイントは、フェムトアクセスポイントを含む請求項２５記載の方法。
【請求項３５】
通信のための装置において、
アクセスポイントにおいて、ハンドオーバー要求メッセージを受信するように構成されている通信制御装置と、
前記ハンドオーバー要求メッセージに応答して、アクセス端末を前記アクセスポイントにハンドオーバーすることを許可するか否かを決定するように構成されているハンドオーバー制御装置とを具備し、
前記ハンドオーバー要求メッセージは、前記アクセス端末に対する閉じられた加入者グループ加入情報を含み、
前記決定は、前記閉じられた加入者グループ加入情報に基づくものである装置。
【請求項３６】
前記決定は、前記閉じられた加入者グループ加入情報が、前記アクセスポイントに関係付けられている閉じられた加入者グループの識別子を含んでいるか否かを決定することを含む請求項３５記載の装置。
【請求項３７】
前記アクセスポイントは、前記ハンドオーバー要求メッセージ中に含まれているハンドオーバー制限リストを通して、前記閉じられた加入者グループ加入情報を受信する請求項３５記載の装置。
【請求項３８】
前記通信制御装置は、前記アクセスポイントへの前記アクセス端末の前記ハンドオーバーが許可されているか否かの表示を、ネットワークノードから受信するようにさらに構成されている請求項３５記載の装置。
【請求項３９】
前記ネットワークノードは、モビリティマネージャーを含む請求項３８記載の装置。
【請求項４０】
通信のための装置において、
アクセスポイントにおいて、ハンドオーバー要求メッセージを受信する手段と、
前記ハンドオーバー要求メッセージに応答して、アクセス端末を前記アクセスポイントにハンドオーバーすることを許可するか否かを決定する手段とを具備し、
前記ハンドオーバー要求メッセージは、前記アクセス端末に対する閉じられた加入者グループ加入情報を含み、
前記決定は、前記閉じられた加入者グループ加入情報に基づくものである装置。
【請求項４１】
前記決定は、前記閉じられた加入者グループ加入情報が、前記アクセスポイントに関係付けられている閉じられた加入者グループの識別子を含んでいるか否かを決定することを含む請求項４０記載の装置。
【請求項４２】
前記アクセスポイントは、前記ハンドオーバー要求メッセージ中に含まれているハンドオーバー制限リストを通して、前記閉じられた加入者グループ加入情報を受信する請求項４０記載の装置。
【請求項４３】
前記アクセスポイントへの前記アクセス端末の前記ハンドオーバーが許可されているか否かの表示を、ネットワークノードから受信する手段をさらに具備する請求項４０記載の装置。
【請求項４４】
前記ネットワークノードは、モビリティマネージャーを含む請求項４３記載の装置。
【請求項４５】
コンピュータプログラムプロダクトにおいて、
アクセスポイントにおいて、ハンドオーバー要求メッセージをコンピュータに受信させ、
前記ハンドオーバー要求メッセージに応答して、アクセス端末を前記アクセスポイントにハンドオーバーすることを許可するか否かを前記コンピュータに決定させるためのコードを含むコンピュータ読取可能媒体を具備し、
前記ハンドオーバー要求メッセージは、前記アクセス端末に対する閉じられた加入者グループ加入情報を含み、
前記決定は、前記閉じられた加入者グループ加入情報に基づくものであるコンピュータプログラムプロダクト。
【請求項４６】
前記決定は、前記閉じられた加入者グループ加入情報が、前記アクセスポイントに関係付けられている閉じられた加入者グループの識別子を含んでいるか否かを決定することを含む請求項４５記載のコンピュータプログラムプロダクト。
【請求項４７】
前記アクセスポイントは、前記ハンドオーバー要求メッセージ中に含まれているハンドオーバー制限リストを通して、前記閉じられた加入者グループ加入情報を受信する請求項４５記載のコンピュータプログラムプロダクト。
【請求項４８】
前記コンピュータ読取可能媒体は、前記アクセスポイントへの前記アクセス端末の前記ハンドオーバーが許可されているか否かの表示を、ネットワークノードから、前記コンピュータに受信させるためのコードをさらに含む請求項４５記載のコンピュータプログラムプロダクト。
【請求項４９】
前記ネットワークノードは、モビリティマネージャーを含む請求項４８記載のコンピュータプログラムプロダクト。
【発明の詳細な説明】
【優先権の主張】
【０００１】
本出願は、２００８年１２月２３日に出願され、代理人ドケット番号第０９０７７８Ｐ１号が割り当てられている、自己の米国仮特許出願第６１／１４０，５８４号の利益と、これに対する優先権を主張しており、その開示は、参照によりここに組み込まれている。
【背景】
【０００２】
分野
本出願は、一般的にワイヤレス通信に関し、より詳細には、これに限らないが、ハンドオーバー制御に関する。
【０００３】
序説
ワイヤレス通信ネットワークは、規定された地理的エリア内でユーザにさまざまなタイプのサービス（例えば、音声、データ、マルチメディアサービス等）を提供するために、その地理的エリアにわたって配置されている。典型的なインプリメンテーションでは、（例えば、異なるセルまたはセクターに対応する）アクセスポイントは、ネットワークにより担当されている地理的エリア内で動作するアクセス端末（例えば、セル電話機）に対して、ワイヤレス接続性を提供するように、ネットワーク全体を通して分散されている。一般に、所定の時点で、アクセス端末は、これらのアクセスポイントのうちの所定の１つによって担当されているだろう。この地理的エリア全体を通して、アクセス端末がローミングすると、アクセス端末は、そのサービングアクセスポイントから離れることがあり、別のアクセスポイントの近くに移動することがある。加えて、所定のセル内の信号条件は変化することがあり、そのため、アクセス端末は、別のアクセスポイントによって、より良く担当されることがある。こうしたケースでは、アクセス端末のモビリティを維持するために、他のアクセスポイントにより担当されるように、そのサービングアクセスポイントからアクセス端末がハンドオーバーされてもよい。
【０００４】
アクセス端末に対するサービングアクセスポイントがどのように変化することがあるかという例を以下に続ける。アクセス端末は、定期的に、無線周波数（“ＲＦ”）測定を実行し、隣接するアクセスポイント（例えば、いわゆるターゲットアクセスポイント）から受信している信号が、現在のサービングアクセスポイントから受信している信号よりも、あるマージンだけ強いことを決定してもよい。その結果、アクセス端末は、この情報を持つ測定報告をネットワーク（例えば、サービングアクセスポイント）に送る。サービングアクセスポイントはその後、ターゲットアクセスポイントにおける、アクセス端末に対するリソースを交渉するために、ターゲットアクセスポイントとのバックホール通信を実行する。加えて、サービスンビングアクセスポイントは、アクセス端末にハンドオーバーコマンドを送り、ここで、ハンドオーバーコマンドは、ターゲットアクセスポイントにおいてアクセス端末に割り当てられるリソースを識別する。最後に、これらのリソースを使用して、アクセス端末がターゲットアクセスポイントに接続する。
【０００５】
いくつかのネットワークには、指定された加入者のみが、所定の組の１つ以上のアクセスポイントにアクセスすることが許可されるように、アクセスポイントが配置されていることがある。例えば、その閉じられた加入者グループ（ＣＳＧ）に加入しているユーザのみが、ＣＳＧのメンバーであるアクセスポイントにアクセスすることが許可されるように、ＣＳＧが規定されているかもしれない。ネットワーク中の他のすべてのユーザが、ＣＳＧのメンバーであるアクセスポイントにアクセスしようと試みた場合に、拒絶されることがある（緊急通話に対しては例外が設けられていることがある）。したがって、ハンドオーバーの間に、このようなアクセスポイントへのアクセスを制御するための効果的なメカニズムに対する必要性がある。
【概要】
【０００６】
本開示のサンプルの側面の概要は以下の通りである。ここでの議論において、用語の側面に対する何らかの参照は、本開示の１つ以上の側面のことを指すことがある。
【０００７】
いくつかの側面では、本開示は、アクセス端末のハンドオーバーを制御することに関するものである。例えば、ネットワーク中の１つ以上のノードが、ＣＳＧへのインバウンドハンドオーバーに対するアクセス制御を提供してもよい。
【０００８】
いくつかのケースでは、ソースアクセスポイント（例えば、ソースアクセスポイントのセル）が、ＣＳＧに関係付けられているターゲットアクセスポイント（例えば、ターゲットアクセスポイントのセル）へのアクセス端末のインバウンドハンドオーバーに対するアクセス制御を提供する。いくつかの側面では、ターゲットアクセスポイントのＣＳＧ識別子（ＣＳＧ ＩＤ）が、アクセス端末に対するＣＳＧ加入情報中にリストされているか否かに基づいて、ソースアクセスポイントがアクセスを制御する。
【０００９】
いくつかのケースでは、ネットワークノード（例えば、モビリティマネージャー）が、ＣＳＧに関係付けられているターゲットアクセスポイントへのインバウンドハンドオーバーに対するアクセス制御を提供する。いくつかの側面では、ターゲットアクセスポイントのＣＳＧ ＩＤが、アクセス端末に対するＣＳＧ加入情報中にあるか否かに基づいて、ネットワークノードがアクセスを制御する。加えて、ネットワークノードが、システム中の他のノード（例えば、ソースアクセスポイント）にＣＳＧ加入情報を提供してもよい。
【００１０】
いくつかのケースでは、ＣＳＧに関係付けられているターゲットアクセスポイントが、それ自体へのインバウンドハンドオーバーに対するアクセス制御を提供する。いくつかの側面では、ターゲットアクセスポイントのＣＳＧ ＩＤが、アクセス端末に対するＣＳＧ加入情報中にあるか否かに基づいて、ターゲットアクセスポイントがアクセスを制御する。
【図面の簡単な説明】
【００１１】
本開示のこれらの側面および他のサンプルの側面を、以下に続く詳細な説明と添付の特許請求の範囲とにおいて、そして、添付の図面において、説明する。
【図１】図１は、アクセス端末のハンドオーバーを制御するように適合されている通信システムのいくつかのサンプルの側面の簡略化されたブロックダイヤグラムである。
【図２】図２は、ソースアクセスポイントにおいてハンドオーバーを制御するために実行されることがある動作のいくつかのサンプルの側面のフローチャートである。
【図３】図３は、ネットワークノードにおいてハンドオーバーを制御するために実行されることがある動作のいくつかのサンプルの側面のフローチャートである。
【図４】図４は、ターゲットアクセスポイントにおいてハンドオーバーを制御するために実行されることがある動作のいくつかのサンプルの側面のフローチャートである。
【図５】図５は、ソースからターゲットにアクセス端末を直接ハンドオーバーするために実行されることがある動作のいくつかのサンプルの側面を示す、簡略化された通話フローである。
【図６】図６は、ネットワークノードを通してアクセス端末をハンドオーバーするために実行されることがある動作のいくつかのサンプル側面を示す、簡略化された通話フローである。
【図７】図７は、通信ノードにおいて用いられることがあるコンポーネントのいくつかのサンプルの側面の、簡略化されたブロックダイヤグラムである。
【図８】図８は、ワイヤレス通信システムの簡略化されたダイヤグラムである。
【図９】図９は、フェムトノードを含むワイヤレス通信システムの簡略化されたダイヤグラムである。
【図１０】図１０は、ワイヤレス通信に対するカバレッジエリアを示す簡略化されたダイヤグラムである。
【図１１】図１１は、通信コンポーネントのいくつかのサンプルの側面の簡略化されたブロックダイヤグラムである。
【図１２】図１２は、ここで教示されているようなハンドオーバー制御を提供するように構成されている装置のいくつかのサンプルの側面の簡略化されたブロックダイヤグラムである。
【図１３】図１３は、ここで教示されているようなハンドオーバー制御を提供するように構成されている装置のいくつかのサンプルの側面の簡略化されたブロックダイヤグラムである。
【図１４】図１４は、ここで教示されているようなハンドオーバー制御を提供するように構成されている装置のいくつかのサンプルの側面の簡略化されたブロックダイヤグラムである。
【図１５】図１５は、ここで教示されているようなハンドオーバー制御を提供するように構成されている装置のいくつかのサンプルの側面の簡略化されたブロックダイヤグラムである。
【００１２】
慣行にしたがって、図面中に示されているさまざまな特徴は、スケーリングして描かれていないかもしれない。したがって、さまざまな特徴の寸法は、明確さのために、任意に拡張または縮小されていることがある。加えて、図面のうちのいくつかは、明確さのために簡略化されていることがある。したがって、図面は、所定の装置（例えば、デバイス）または方法のコンポーネントのすべてを描写しているわけではないかもしれない。最後に、同一の参照番号は、本明細書および図面全体を通して、同一の特徴を示すように使用している。
【詳細な説明】
【００１３】
本開示のさまざまな側面を下記で説明する。ここでの教示が、幅広いさまざまな形態で具現化できることと、ここで開示されている、何らかの特有の構造、機能、またはその双方が、単に代表的なものに過ぎないこととは明らかである。ここで開示する側面が、他の何らかの側面とは独立して実現できることと、これらの側面のうちの２つ以上をさまざまな方法で組み合わせることができることとを、当業者は、ここでの教示に基づいて、正しく認識すべきである。例えば、ここで述べる多数の側面を使用して、装置を実現することができ、または、方法を行うことができる。加えて、ここで述べる側面のうちの１つ以上に加えて、または、ここで述べる側面のうちの１つ以上の他に、他の構造、機能性、あるいは、構造および機能性を使用して、このような装置を実現することでき、あるいは、このような方法を行うことができる。さらに、側面は、特許請求の範囲の少なくとも１つのエレメントを含んでいてもよい。
【００１４】
図１は、サンプルの通信システム１００のいくつかのノード（例えば、通信ネットワークの一部）を示している。例示の目的のために、互いに通信する、１つ以上のアクセス端末、アクセスポイント、およびネットワークノードの文脈において、開示のさまざまな側面を説明する。しかしながら、ここでの教示が、他の専門用語を使用して参照される、他のタイプの装置にまたは他の類似する装置に、適用可能であってもよいことを正しく認識すべきである。例えば、さまざまなインプリメンテーションにおいて、アクセスポイントが、基地局、ノードＢ、ホームノードＢ、無線ネットワーク制御装置（ＲＮＣ）、ｅノードＢ、または、ホームｅノードＢのことを指すことがあり、あるいは、基地局、ノードＢ、ホームノードＢ、無線ネットワーク制御装置（ＲＮＣ）、ｅノードＢ、または、ホームｅノードＢとしてアクセスポイントを実現してもよい一方で、アクセス端末は、ユーザ機器または移動体のことを指すことがあり、あるいは、ユーザ機器または移動体として実現してもよい。
【００１５】
システム１００中のアクセスポイントは、システム１００のカバレッジエリア内に設置されていることがある、または、システム１００のカバレッジエリア全体を通してローミングしていることがある、１つ以上のワイヤレス端末（例えば、アクセス端末１０２）に対して、１つ以上のサービス（例えば、ネットワーク接続性）を提供する。例えば、さまざまな時点で、アクセス端末１０２は、アクセスポイント１０４またはアクセスポイント１０６に接続されていることがある。アクセスポイント１０４とアクセスポイント１０６のそれぞれは、ワイドエリアネットワーク接続性を促進するために、（便宜上、ネットワークノード１０８により表している）１つ以上のネットワークノードと通信してもよい。これらのネットワークノードは、例えば、１つ以上の無線ネットワークエンティティおよび／またはコアネットワークエンティティのような、さまざまな形態をとることがある。したがって、さまざまなインプリメンテーションにおいて、ネットワークノード１０８は、（例えば、動作の、アドミニストレーションの、マネージメントの、および、プロビジョニングのエンティティを通しての）ネットワークマネージメントや、通話制御や、セッションマネージメントや、モビリティマネージメントや、ゲートウェイ機能や、インターワーキング機能や、あるいは、他の何らかの適切なネットワーク機能性のうちの少なくとも１つのような、機能性を表していてもよい。
【００１６】
アクセスポイント１０４、ネットワークノード１０８、および、アクセスポイント１０６のうちの１つ以上が、アクセスポイント１０４からアクセスポイント１０６へのアクセス端末１０２のハンドオーバーに対するアクセス制御を提供してもよい。いくつかのケースでは、アクセス端末は、ワイヤレスセルの組に関係付けられているアクセスポイントにハンドオーバーされることがある。一般に、ワイヤレスセルの組は、１つ以上のセル（例えば、少なくとも１つのアクセスポイント）の組を含んでおり、その組に特有の規定された関係がある。ワイヤレスセルの組の例は、ＣＳＧである。便宜上、以下に続く議論は、より一般的な用語であるワイヤレスセルの組ではなく、単に、用語ＣＳＧのことを指す。しかしながら、説明する概念が、ワイヤレスセルまたは他の類似するエンティティの、他のタイプの規定された組あるいはグループに適用可能であってもよいことを正しく認識すべきである。
【００１７】
いくつかの側面では、アクセスポイント１０６に関係付けられているＣＳＧ ＩＤが、アクセス端末１０２に対するＣＳＧ加入情報中にリストされているか否かを決定することにより、アクセスポイント１０４、ネットワークノード１０８、およびアクセスポイント１０６が、アクセス制御を提供してもよい。そうである場合には、アクセスポイント１０６に関係付けられているＣＳＧにアクセスするために、アクセス端末１０２が加入しているので、ハンドオーバーが許可される。そうでなければ、ハンドオーバーは許可されないだろう。
【００１８】
例示の目的のために、ハンドオーバーアクセス制御コンポーネント（すなわち、ハンドオーバーアクセス制御機能性１１０、１１２および１１４、ならびに、アクセス端末ＣＳＧ加入情報１１６、１１８、および１２０）を備えるものとして、これらのノードのそれぞれを示している。しかしながら、実際には、これらのノードのうちの１つ以上は、このような機能性を備えていなくてもよい。例えば、いくつかのインプリメンテーションでは、ネットワークノード１０８および／またはターゲットアクセスポイント１０６だけが、ここで教示されているようなハンドオーバーアクセス制御を提供する。
【００１９】
図２〜図４のフローチャートとともに、システム１００のサンプルの動作を、ここでより詳細に説明する。便宜上、図２〜図４の動作（あるいは、ここで論じるまたは教示する他の何らかの動作）は、特有のコンポーネント（例えば、図１および図７において示されているコンポーネント）により実行されるものとして説明する。しかしながら、これらの動作が、他のタイプのコンポーネントにより実行できることと、異なる数のコンポーネントを使用して実行できることとを正しく認識すべきである。ここで説明する動作のうちの１つ以上は、所定のインプリメンテーション中で用いられないことがあることも正しく認識すべきである。
【００２０】
図２は、ソースアクセスポイントにより担当されているアクセス端末を、ターゲットアクセスポイントにハンドオーバーするか否かを制御しているソースアクセスポイントに関連して実行されることがある、サンプルの動作を説明している。ブロック２０２〜ブロック２０８は、アクセス端末に対するＣＳＧ加入情報によりソースアクセスポイントを構成することに関するサンプルの動作を説明している。ブロック２１０〜ブロック２１４は、ＣＳＧ加入情報に基づくハンドオーバーアクセス制御に関するサンプルの動作を説明している。
【００２１】
ブロック２０２により表されているように、何らかの時点で、アクセスポイント（例えば、アクセスポイント１０４）において、アクセス端末（例えば、アクセス端末１０２）に対する接続が確立される。例えば、アクセス端末がアクセスポイントのセル内に位置しているときにアクセス端末が電源投入されることがあり、アクセス端末が、アイドルモードから接続を確立することがあり、または、アクセス端末が、別のアクセスポイントからアクセスポイントにハンドオーバーされることがある。
【００２２】
ブロック２０４により表されているように、アクセスポイントは、その後、アクセス端末がアクセスポイントにおける接続を確立していることをネットワークに知らせるためのメッセージを、ネットワークに送る。例えば、アクセスポイントは、モビリティマネージメントエンティティ（ＭＭＥ）またはサービングＧＰＲＳサポートノード（ＳＧＳＮ）のような、モビリティマネージャーに対して、“初期ＵＥメッセージ”を送ってもよい。
【００２３】
ブロック２０６により表されているように、このメッセージに応答して、ネットワークは、アクセス端末に対するＣＳＧ加入情報をアクセスポイントに送る。例えば、モビリティマネージャーは、ＣＳＧ加入情報を含む初期コンテキストセットアップ要求メッセージをアクセスポイントに送ってもよい。いくつかのインプリメンテーションでは、このＣＳＧ加入情報は、ハンドオーバー制限リスト情報エレメント（ＩＥ）中に含まれていてもよい。アクセスポイントは、ブロック２０８により表されているように、ＣＳＧ加入情報を受信する。
【００２４】
いくつかの側面では、所定のアクセス端末に対するＣＳＧ加入情報は、アクセス端末がアクセスすることが許可されている少なくとも１つのＣＳＧを識別する（例えば、ＣＳＧ加入情報は、１つ以上のＣＳＧ ＩＤのリストを含んでいる）。したがって、ＣＳＧ加入情報は、（例えば、アクセス端末の観点からすると、）許可されているＣＳＧリストとして呼ぶことができる。
【００２５】
上記で論じたように、アクセス端末は、その現在のセルとその隣接するセルとにおける信号条件を決定するために、ＲＦ測定を定期的に実行してもよい。その結果、アクセス端末は、そのサービングアクセスポイントに対して、この情報を持つ測定報告を送ることがあるだろう。加えて、検出したセルがＣＳＧに関係付けられている（例えば、セルが、ホームｅノードＢのようなフェムトアクセスポイントに対応している）ケースでは、アクセス端末は、サービングアクセスポイントに送られる隣接関係メッセージ中に、対応するＣＳＧ ＩＤを含めてもよい。
【００２６】
したがって、ブロック２１０により表されているように、アクセス端末のハンドオーバーに対するターゲットアクセスポイントを識別する測定報告を、サービスアクセスポイント（例えば、アクセスポイント１０４）が、何らかの時点で、受信するだろう。例えば、アクセス端末において、隣接するアクセスポイントから受信している信号が、現在のサービスアクセスポイント（すなわち、ハンドオーバーに対するソースアクセスポイント）から受信している信号よりも、あるマージンだけ強いときに、アクセス端末のハンドオーバーに対するターゲットアクセスポイントとして、隣接するアクセスポイント（例えば、アクセスポイント１０６）を指定することができる。
【００２７】
ブロック２１２により表されているように、アクセス端末に対するＣＳＧ加入情報に基づいて、アクセス端末をターゲットアクセスポイントにハンドオーバーすることを許可するか否かを、ソースアクセスポイントは決定してもよい。例えば、ソースアクセスポイントは、ターゲットアクセスポイントに関係付けられているＣＳＧ ＩＤ（例えば、自動隣接関係動作の間に受信したＣＳＧ ＩＤ）が、ＣＳＧ加入情報中にリストされているかどうかをチェックしてもよい。
【００２８】
ハンドオーバーを許可すべきでないとソースアクセスポイントが決定した場合に、ソースアクセスポイントは、ハンドオーバー動作を開始しないだろう。代替的に、ソースアクセスポイントが、ハンドオーバーを許可することを決めた場合には、ソースアクセスポイントは、ブロック２１４により表されているように、適切なノードにハンドオーバーメッセージを送ることにより、ハンドオーバー動作を開始してもよい。ここでは、ハンドオーバーは、異なるインプリメンテーションにおいて、さまざまな方法で達成することができる。
【００２９】
図５とともに下記でより詳細に説明するように、いくつかのインプリメンテーションでは、（例えば、バックホールを通して）ターゲットアクセスポイントに直接送られるメッセージ（例えば、ハンドオーバー要求メッセージ）により、ソースアクセスポイントがハンドオーバーを開始する。例えば、ソースアクセスポイントは、（３ＧＰＰ ＴＳ ３６．４２３中に指定されている）Ｘ２プロトコルにより、このようなメッセージを送ってもよい。
【００３０】
図６とともに下記でより詳細に説明するように、いくつかのインプリメンテーションでは、ネットワークノード（例えば、モビリティマネージャー）に送られるメッセージ（例えば、ハンドオーバー必要メッセージ）により、ソースアクセスポイントがハンドオーバーを開始する。例えば、ソースアクセスポイントは、（３ＧＰＰ ＴＳ ３６．４１３中に指定されている）Ｓ１プロトコルにより、このようなメッセージを送ってもよい。
【００３１】
いくつかのインプリメンテーションでは、ブロック２１４において送られるハンドオーバーメッセージは、ハンドオーバーされようとしているアクセス端末に対するＣＳＧ加入情報を含んでいる。例えば、ＣＳＧ加入情報は、ハンドオーバーメッセージ中に含まれているハンドオーバー制限リストの中に含まれていてもよい。
【００３２】
図３は、アクセス端末をターゲットアクセスポイントにハンドオーバーするだろうか否かを制御するために、（ここから後では、便宜上、ネットワークノードとして呼ぶ）１つ以上のネットワークノードにより実行されることがあるサンプルの動作を説明している。いくつかのインプリメンテーションでは、図３の動作は、モビリティマネージャー（例えば、ＭＭＥまたはＳＧＳＮ）により実行されてもよい。
【００３３】
ブロック３０２により表されているように、ネットワークノードは、アクセス端末がターゲットアクセスポイントにハンドオーバーされようとしていることを示すメッセージを、何らかの時点で、受信する。異なるインプリメンテーションでは、異なるノードから、このメッセージを受信するかもしれない。上記のブロック２１４および下記の図６とともに説明しているように、いくつかのインプリメンテーションでは、ネットワークノードが、ソースアクセスポイントからハンドオーバーメッセージ（例えば、ハンドオーバー必要メッセージ）を受信する。図６とともに下記でより詳細に説明しているように、いくつかのインプリメンテーションでは、ネットワークノードが、ターゲットアクセスポイントからハンドオーバーメッセージ（例えば、ハンドオーバー要求肯定応答メッセージ）を受信する。図５とともに下記でより詳細に説明しているように、いくつかのインプリメンテーションでは、ネットワークノードが、ターゲットアクセスポイントからハンドオーバーメッセージ（例えば、パススイッチ要求メッセージ）を受信する。
【００３４】
ブロック３０４およびブロック３０６により表されているように、アクセス端末に対するＣＳＧ加入情報に基づいて、アクセス端末をターゲットアクセスポイントにハンドオーバーすることを許可するか否かを、ネットワークノードが決定してもよい。例えば、ブロック３０４において、ネットワークノードは、ターゲットアクセスポイントに関係付けられているＣＳＧ ＩＤと、アクセス端末に対するＣＳＧ加入情報とを比較して、ＣＳＧ ＩＤが、ＣＳＧ加入情報中にリストされているか否かを決定する。その後、ブロック３０６において、ネットワークノードは、比較に基づいて、アクセス端末をターゲットアクセスポイントにハンドオーバーすることを許可するか否かを決定する。
【００３５】
ハンドオーバーを許可すべきでないとネットワークノードが決定した場合に、ネットワークノードは、ハンドオーバー動作を終了させるだろう。例えば、ネットワークノードは、ブロック３０２においてメッセージを送ったノードに対して、ハンドオーバー失敗メッセージを送ってもよい（例えば、ソースアクセスポイントに対して、適切なエラーコードを持つハンドオーバー準備失敗メッセージを送ってもよい）。
【００３６】
ブロック３０８により表されているように、ネットワークノードが、ハンドオーバーを許可することを決めた場合に、ネットワークノードは、適切なノードにハンドオーバーメッセージを送ることにより、ハンドオーバー動作の継続を可能にしてもよい。いくつかの側面では、このハンドオーバーメッセージは、ブロック３０６の決定の（例えば、明示的または暗黙的な）表示を含んでいる。
【００３７】
いくつかの側面では、このハンドオーバーメッセージの宛先は、ブロック３０２において受信したメッセージのタイプに依存することがある。図６において説明しているように、ソースアクセスポイントからハンドオーバー必要メッセージを受信したインプリメンテーションでは、ネットワークノードは、ブロック３０８において、ターゲットアクセスポイントにハンドオーバー要求メッセージを送ってもよい。また、下記で図６とともに説明しているように、ターゲットアクセスポイントからハンドオーバー要求肯定応答メッセージを受信し、このメッセージを受信したときにネットワークノードがアクセス制御を実行するインプリメンテーションでは、ネットワークノードは、ブロック３０８において、ハンドオーバーが許可されているか否かを示す適切なメッセージをターゲットアクセスポイントに送ってもよい。図５において説明しているように、ターゲットアクセスポイントからパススイッチ要求メッセージを受信し、このメッセージを受信したときにネットワークノードがアクセス制御を実行するインプリメンテーションでは、ネットワークノードは、ブロック３０８において、ハンドオーバーが許可されているか否かを示すパススイッチ要求肯定応答メッセージをターゲットアクセスポイントに送ってもよい。
【００３８】
図４は、アクセス端末をターゲットアクセスポイントにハンドオーバーするか否かを制御するために、ターゲットアクセスポイントにより実行されることがあるサンプルの動作を説明している。
【００３９】
ブロック４０２において表されているように、ターゲットアクセスポイントがハンドオーバー要求メッセージを受信する。ここで論じるように、ターゲットアクセスポイントは、例えば、ソースアクセスポイントまたはネットワークノードからハンドオーバー要求メッセージを受信してもよい。いくつかの側面では、ハンドオーバー要求メッセージは、ハンドオーバーされようとしているアクセス端末に対するＣＳＧ加入情報を含んでいてもよい。例えば、ＣＳＧ加入情報は、ハンドオーバー要求メッセージ中に含まれているハンドオーバー制限リストの中に含まれていてもよい。
【００４０】
ブロック４０４により表されているように、アクセス端末に対するＣＳＧ加入情報に基づいて、アクセス端末をハンドオーバーすることを許可するか否かを、ターゲットアクセスポイントが決定する。例えば、ターゲットアクセスポイントは、ＣＳＧ加入情報が、ターゲットアクセスポイントに関係付けられているＣＳＧ ＩＤを含んでいるか否かを決定してもよい。
【００４１】
ハンドオーバーを許可すべきでないとターゲットアクセスポイントが決定した場合に、ターゲットアクセスポイントは、ハンドオーバー動作を終了させ、適切なノードに対して適切な失敗メッセージを送るだろう。代替的に、ターゲットアクセスポイントが、ハンドオーバーを許可することを決めた場合には、ターゲットアクセスポイントは、ブロック４０６により表されているように、適切なノードにハンドオーバーメッセージを送ってもよい。このメッセージは、アクセス端末がターゲットアクセスポイントにハンドオーバーされようとしていることを、明示的にまたは暗黙的に示してもよい。
【００４２】
いくつかの側面では、このハンドオーバーメッセージの宛先は、ブロック４０２において受信したメッセージのタイプに依存することがある。図５において説明しているように、ソースアクセスポイントからハンドオーバー要求メッセージを受信するインプリメンテーションでは、ターゲットアクセスポイントは、ブロック４０６において、ハンドオーバーを完了させることを要求するために、ネットワークノードに対してパススイッチ要求メッセージを送ってもよい。図６において説明しているように、ネットワークノードからハンドオーバー要求メッセージを受信したインプリメンテーションでは、ターゲットアクセスポイントは、ブロック４０６において、ハンドオーバーを完了させることを要求するために、ネットワークノードに対してハンドオーバー要求肯定応答メッセージを送ってもよい。
【００４３】
いくつかの側面では、ブロック４０６において送られたメッセージが、ネットワークノードにおけるハンドオーバーアクセス制御をトリガするかもしれない。例えば、図３とともに上記で論じたように、ターゲットアクセスポイントからハンドオーバーメッセージを受信したときに、ネットワークノードは、ハンドオーバーを許可するか否かも決定してもよい。
【００４４】
したがって、ブロック４０８により表されているように、ターゲットアクセスポイントはその後、ハンドオーバーが許可されているか否かという表示を、ネットワークノードから受信してもよい。ここで論じるように、このメッセージは、例えば、図５の例におけるパススイッチ要求肯定応答の形態をとってもよい。
【００４５】
上記のことを念頭において、ハンドオーバーアクセス制御に関係するサンプルの通話フローを、ここで図５および図６において説明する。図５は、ソースアクセスポイントとターゲットアクセスポイントが、例えば、Ｘ２プロトコルにより直接通信することができるインプリメンテーションにおける、サンプルの通話フローを説明している。図６は、アクセスポイントが、例えば、Ｓ１プロトコルにより、ネットワークノードを通して通信するインプリメンテーションにおける、サンプルの通話フローを説明している。
【００４６】
例示の目的のために、図５および図６の例は、ＬＴＥに基づくインプリメンテーションを説明している。したがって、図面は、ユーザ機器（ＵＥ）、ｅノードＢ（ｅＮＢ）、ＭＭＥ、サービングゲートウェイ（ＳＧＷ）、および、パケットデータネットワークゲートウェイ（ＰＧＷ）のような、コンポーネントを示している。しかしながら、ここで教示する概念が、他のインプリメンテーション（例えば、ＵＭＴＳベースのシステム等）に適用可能であってもよいことを正しく認識すべきである。
【００４７】
最初に図５を参照すると、ＵＥは、何らかの時点で、ターゲットＣＳＧセルのＣＳＧ ＩＤを含む測定報告を、そのサービングｅＮＢ（例えば、ホームｅＮＢ）に送る。これは、ソースとターゲットとの間のハンドオーバー準備メッセージ交換をトリガする。
【００４８】
ソースｅＮＢがターゲットＣＳＧセルへのハンドオーバーを実行する前に、ソースｅＮＢは、ターゲットｅＮＢ（例えば、ホームｅＮＢ）のＣＳＧ ＩＤが、ＵＥのＣＳＧ加入情報（例えば、許可されているＣＳＧリスト）中にあるかどうかを、オプション的にチェックする。ソースｅＮＢは、Ｘ２ハンドオーバーの一部としてターゲットｅＮＢに送られるハンドオーバー要求メッセージ中に、ハンドオーバー制限リストＩＥ手順を含める。
【００４９】
ハンドオーバー要求を受信したときに、ターゲットｅＮＢは、（例えば、ハンドオーバー制限リストＩＥ中に含まれている）ＵＥに対するＣＳＧ加入情報の中に、ターゲットｅＮＢのＣＳＧ ＩＤがあるかどうかをチェックする。ＣＳＧセルにアクセスすることについてＵＥが許可されている場合に、ターゲットｅＮＢは、ハンドオーバー要求肯定応答（Ａｃｋ）により応答する。
【００５０】
ハンドオーバー実行およびハンドオーバー完了の動作が、その後開始する。いくつかの側面では、これらの動作は、ソースからターゲットへのデータの転送と、ターゲットからＵＥへのダウンリンクデータの送信と、ＵＥからＰＧＷへのアップリンクデータの送信とのような、データ転送を含んでいてもよい。
【００５１】
ターゲットｅＮＢは、ＵＥがセルを変更しつつあることをＭＭＥに知らせるために、パススイッチ要求メッセージを送る。このメッセージは、ターゲットセルのセルグローバル識別子と、拒絶されたＥＰＳベアラのリストとを含んでいてもよい。適用可能な場合には、ＳＧＷがＵＥを担当し続けてもよいことを、ＭＭＥが、その後決定する。ＭＭＥはまた、パススイッチ要求メッセージを受信したときに、ＵＥに対するＣＳＧ加入情報中に、ターゲットｅＮＢのＣＳＧ ＩＤがあるかどうかを、オプション的にチェックしてもよい。
【００５２】
ＭＭＥは、ユーザプレーン更新要求（受け入れられたＥＰＳベアラに対するダウンリンクユーザプレーン用のｅＮＢアドレスおよびＴＥＩＤ）メッセージを、ＳＧＷに送る。何らかのＥＰＳベアラが解放されることになるケースでは、ＭＭＥが、ベアラ解放手順をトリガする。ＳＧＷは、新しく受信したアドレスおよびＴＥＩＤを使用して、ターゲットｅＮＢにダウンリンクパケットを送り始める。ユーザプレーン更新応答メッセージが、ＭＭＥに返信される。ターゲットｅＮＢにおけるリオーダリング機能を支援するために、ＳＧＷは、ＵＥの各ＳＡＥベアラに対するパスを切り替えた後すぐに、古いパス上に１つ以上の“エンドマーカー”パケットを送るだろう。
【００５３】
ＭＭＥは、パススイッチ要求肯定応答（Ａｃｋ）メッセージにより、パススイッチ要求メッセージに対して確認通知する。ＭＭＥは、（例えば、ここで論じるように）ハンドオーバー制限リストを、ｅＮＢに提供してもよい。
【００５４】
リソース解放メッセージを送ることにより、ターゲットｅＮＢは、ハンドオーバーが成功したことをソースｅＮＢに知らせ、リソースの解放をトリガする。ＲＡＮ構成に依存して、ｅＮＢは、トラッキングエリア更新手順を開始するようにＵＥをトリガする。ＲＡＮ機能性は、ＥＣＭ接続されたＵＥにトリガ情報を提供する。
【００５５】
ここで図６を参照すると、ＵＥは、何らかの時点で、ソースｅＮＢ（例えば、ホームｅＮＢ）に測定報告を送る。
【００５６】
ここで論じるように、ソースｅＮＢは、ＵＥに対するＣＳＧ加入情報に基づいて、ハンドオーバーアクセス制御を実行してもよい。ハンドオーバーが許可される場合、ソースｅＮＢは、（例えば、Ｓ１により、）ＭＭＥにハンドオーバー必要メッセージを送る。
【００５７】
ＭＭＥは、ここで教示しているように、ＵＥに対するＣＳＧ加入情報に基づいて、ハンドオーバーアクセス制御を実行してもよい。ハンドオーバーが許可されない場合、ＭＭＥは、（例えば、このＣＳＧに対して認可されていないとの）適切なエラーコードを持つハンドオーバー準備失敗メッセージにより、ソースｅＮＢに応答する。ハンドオーバーが許可される場合、ＭＭＥは、ハンドオーバー要求メッセージをターゲットｅＮＢ（例えば、ホームｅＮＢ）に送る。
【００５８】
ターゲットｅＮＢは、ここで教示しているように、ＵＥに対するＣＳＧ加入情報に基づいて、ハンドオーバーアクセス制御を実行してもよい。ハンドオーバーが許可される場合、ターゲットｅＮＢは、ＭＭＥにハンドオーバー要求肯定応答メッセージを送る。
【００５９】
ＭＭＥは、ハンドオーバー要求肯定応答メッセージを受信したときに、ハンドオーバーアクセス制御を実行してもよい。繰り返しになるが、このアクセス制御は、ここで教示されているように、ＵＥに対するＣＳＧ加入情報に基づくものであってもよい。ＭＭＥは、ハンドオーバーが許可されているか否かを示す（図６では示されていない）適切なメッセージにより、ターゲットｅＮＢに応答してもよい。ハンドオーバーが許可されている場合、ＭＭＥは、ハンドオーバーを完了させるために、ソースｅＮＢに対してハンドオーバーコマンドメッセージを送る。
【００６０】
図７は、ここで教示しているようなハンドオーバー動作を実行するために、（例えば、アクセスポイント１０４またはアクセスポイント１０６に対応する）アクセスポイント７０２と、（例えば、ネットワークノード１０８に対応する）ネットワークノード７０４とのような、ノードに組み込まれていることがある、いくつかのサンプルのコンポーネントを示している。説明するコンポーネントは、通信システム中の他のノード中に組み込まれていてもよい。例えば、システム中の他のノードは、類似する機能性を提供するために、アクセスポイント７０２およびネットワークノード７０４に関して説明しているものと類似したコンポーネントを備えていてもよい。所定のノードは、説明するコンポーネントのうちの１つ以上を備えていてもよい。例えば、アクセスポイントは、アクセスポイントが複数の周波数上で動作すること、および／または、異なる技術を通して通信することを可能にする、複数のトランシーバコンポーネントを備えていてもよい。
【００６１】
図７において示しているように、アクセスポイント７０２は、他のノードと通信するためのトランシーバ７０６を備えている。トランシーバ７０６は、信号（例えば、メッセージ）を送るための送信機７０８と、信号（例えば、メッセージ）を受信するための受信機７１０とを備えている。
【００６２】
アクセスポイント７０２とネットワークノード７０４はまた、互いに通信するために、あるいは、他のネットワークノードと通信するために、ネットワークインターフェース７１２とネットワークインターフェース７１４をそれぞれ備えている。例えば、ネットワークインターフェース７１２とネットワークインターフェース７１４は、ワイヤードバックホールまたはワイヤレスバックホールを通して、１つ以上のネットワークノードと通信するように構成してもよい。
【００６３】
アクセスポイント７０２とネットワークノード７０４は、ここで教示しているようなハンドオーバー動作に関連して使用されることがある他のコンポーネントも備えている。例えば、アクセスポイント７０２とネットワークノード７０４は、他のノードとの通信をマネージメントするために（例えば、ハンドオーバーメッセージと、ＣＳＧ情報と、ハンドオーバー表示と、他のメッセージまたは表示とを送受信するために、そして、接続を確立するために）、ならびに、ここで教示しているような他の関連する機能性を提供するために、通信制御装置７１６と通信制御装置７１８をそれぞれ備えていてもよい。加えて、アクセスポイント７０２は、モビリティ関連の動作をマネージメントするために（例えば、ハンドオーバーを許可するか否かを決定するために）、ならびに、ここで教示しているような他の関連する機能性を提供するために、（例えば、いくつかの側面では、図１のブロック１１０および／またはブロック１１４の機能性に対応している）ハンドオーバー制御装置７２０を備えていてもよい。同様に、ネットワークノード７０４は、モビリティ関連の動作をマネージメントするために（例えば、ハンドオーバーを許可するか否かを決定するために、ＣＳＧ情報を比較するために、および、ＣＳＧ情報を送信するために）、ならびに、ここで教示しているような他の関連する機能性を提供するために、（例えば、いくつかの側面では、図１のブロック１１２の機能性に対応している）ハンドオーバー制御装置７２２を備えていてもよい。
【００６４】
また、いくつかのインプリメンテーションでは、（例えば、データメモリを使用する、および／または、データメモリを組み込んでいる）１つ以上のプロセッサで、図７のコンポーネントを実現してもよい。例えば、ブロック７１２、７１６、および７２０の機能性は、アクセスポイント中のプロセッサにより実現してもよい一方で、ブロック７１４、７１８、および７２２の機能性は、ネットワークノード中のプロセッサにより実現してもよい。
【００６５】
上記で論じたように、いくつかの側面では、マクロスケールのカバレッジ（例えば、一般的にマクロセルネットワークまたはＷＡＮとして呼ばれる、３Ｇネットワークのような大きなエリアのセルラネットワーク）と、より小さいスケールのカバレッジ（例えば、一般的にＬＡＮとして呼ばれる、住宅ベースまたは建物ベースのネットワーク環境）とを含む環境において、ここでの教示を用いてもよい。アクセス端末（ＡＴ）は、このような環境を通して移動するので、アクセス端末は、あるロケーションでは、マクロカバレッジを提供するアクセスポイントにより担当されることがある一方で、アクセス端末は、他のロケーションでは、より小さいスケールのカバレッジを提供するアクセスポイントにより担当されることがある。いくつかの側面では、より小さいカバレッジのノードを使用して、インクリメント的な容量の増加と、建物内のカバレッジと、（例えば、より堅牢なユーザ経験に対する）異なるサービスとを提供することができる。
【００６６】
比較的大きいエリアにわたってカバレッジを提供するノード（例えば、アクセスポイント）は、マクロアクセスポイントとして呼ぶことがある一方で、比較的小さいエリア（例えば、住宅）にわたってカバレッジを提供するノードは、フェムトアクセスポイントとして呼ぶことがある。ここでの教示は、他のタイプのカバレッジエリアに関係付けられているノードに適用可能であってもよいことを正しく認識すべきである。例えば、ピコアクセスポイントは、マクロエリアより小さく、フェムトエリアより大きいエリアにわたってカバレッジ（例えば、商業ビル内のカバレッジ）を提供してもよい。さまざまな適用において、マクロアクセスポイント、フェムトアクセスポイント、または、他のアクセスポイントタイプのノードを参照するために、他の専門用語を使用してもよい。例えば、アクセスノード、基地局、アクセスポイント、ｅノードＢ、マクロセル等として、マクロアクセスポイントを構成するまたは呼ぶことがある。また、ホームノードＢ、ホームｅノードＢ、アクセスポイント基地局、フェムトセル等として、フェムトアクセスポイントを構成するまたは呼ぶことがある。いくつかのインプリメンテーションでは、ノードを、１つ以上のセルまたはセクターに関係付けてもよい（例えば、分割してもよい）。マクロアクセスポイント、フェムトアクセスポイント、または、ピコアクセスポイントに関係付けられているセルあるいはセクターは、それぞれ、マクロセル、フェムトセル、または、ピコセルとして呼ぶことがある。
【００６７】
図８は、ここでの教示をその中で実現することができ、多数のユーザをサポートするように構成されているワイヤレス通信システム８００を示している。システム８００は、例えば、マクロセル８０２Ａ〜８０２Ｇのような複数のセル８０２に対して通信を提供し、各セルには、対応するアクセスポイント８０４（例えば、アクセスポイント８０４Ａ〜８０４Ｇ）によりサービスが提供されている。図８において示されているように、アクセス端末８０６（例えば、アクセス端末８０６Ａ〜８０６Ｌ）は、システム全体にわたって、さまざまなロケーションに、経時的に散らばっているかもしれない。各アクセス端末８０６は、例えば、アクセス端末８０６がアクティブであるか否か、ならびに、アクセス端末８０６がソフトハンドオフ中であるか否かに依存して、所定の瞬間において、フォワードリンク（ＦＬ）上および／またはリバースリンク（ＲＬ）上で、１つ以上のアクセスポイント８０４と通信してもよい。ワイヤレス通信システム８００は、大きい地理的な領域にわたってサービスを提供してもよい。例えば、マクロセル８０２Ａ〜８０２Ｇは、近隣の数ブロックまたは地方の環境中の数マイルをカバーしてもよい。
【００６８】
図９は、ネットワーク環境内に１つ以上のフェムトアクセスポイントが配置されている例示的な通信システム９００を示している。特に、システム９００は、（例えば、１つ以上のユーザ住宅９３０のような）比較的小さいスケールのネットワーク環境中に設置されている複数のフェムトアクセスポイント９１０（例えば、フェムトアクセスポイント９１０Ａおよび９１０Ｂ）を含む。各フェムトアクセスポイント９１０は、ＤＳＬルータや、ケーブルモデムや、ワイヤレスリンクや、または（示していない）他の接続性手段を通して、ワイドエリアネットワーク９４０（例えば、インターネット）および移動体オペレータコアネットワーク９５０に結合されていてもよい。下記で論じるように、関係付けられているアクセス端末９２０（例えば、アクセス端末９２０Ａ）と、オプション的に、他の（例えば、ハイブリッドまたはエイリアン）アクセス端末９２０（例えば、アクセス端末９２０Ｂ）とを担当するように、各フェムトアクセスポイント９１０を構成してもよい。言い換えると、１組の指定されている（例えば、ホーム）フェムトアクセスポイント９１０によって所定のアクセス端末９２０を担当するが、何らかの指定されていないフェムトアクセスポイント９１０（例えば、隣接するフェムトアクセスポイント９１０）によっては所定のアクセス端末９２０を担当しないことにより、フェムトアクセスポイント９１０に対するアクセスを制限してもよい。
【００６９】
図１０は、いくつかのトラッキングエリア１００２（またはルーティングエリアまたはロケーションエリア）を定義し、そのそれぞれがいくつかのマクロカバレッジエリア１００４を含むカバレッジマップ１０００の例を示している。ここで、トラッキングエリア１００２Ａ、１００２Ｂ、および１００２Ｃに関係するカバレッジのエリアは、幅広の線により線引きされ、マクロカバレッジエリア１００４は、より大きな六角形により表されている。トラッキングエリア１００２はまた、フェムトカバレッジエリア１００６を含んでいる。この例では、フェムトカバレッジエリア１００６のそれぞれ（例えば、フェムトカバレッジエリア１００６Ｂおよび１００６Ｃ）は、１つ以上のマクロカバレッジエリア１００４（例えば、マクロカバレッジエリア１００４Ａおよび１００４Ｂ）内に示されている。しかしながら、フェムトカバレッジエリア１００６のうちのいくつかまたはすべてが、マクロカバレッジエリア１００４内に位置していなくてもよいことを正しく認識すべきである。実際には、非常に多数のフェムトカバレッジエリア１００６（例えば、フェムトカバレッジエリア１００６Ａおよび１００６Ｄ）が、所定のトラッキングエリア１００２内に、あるいは、マクロカバレッジエリア１００４内に、定義されていてもよい。また、（示していない）１つ以上のピコカバレッジエリアが、所定のトラッキングエリア１００２内に、または、マクロカバレッジエリア１００４内に定義されていてもよい。
【００７０】
再度図９を参照すると、フェムトアクセスポイント９１０の所有者は、例えば、３Ｇ移動体サービスのような、移動体オペレータコアネットワーク９５０を通して提供される移動体サービスに加入していてもよい。加えて、アクセス端末９２０は、マクロ環境と、より小さいスケール（例えば、住宅）のネットワーク環境との双方で動作することが可能であってもよい。言い換えると、アクセス端末９２０の現在のロケーションに依存して、移動体オペレータコアネットワーク９５０に関係付けられているマクロセルアクセスポイント９６０により、または、１組のフェムトアクセスポイント９１０のうちの何らかの１つ（例えば、対応するユーザ住宅９３０内に内在するフェムトアクセスポイント９１０Ａおよび９１０Ｂ）により、アクセス端末９２０が担当されていてもよい。例えば、加入者が自身の家の外にいるときには、加入者は、標準的なマクロアクセスポイント（例えば、アクセスポイント９６０）により担当され、加入者が自身の家にいるときには、加入者は、フェムトアクセスポイント（例えば、アクセスポイント９１０Ａ）により担当される。ここで、フェムトアクセスポイント９１０は、レガシーアクセス端末９２０と下位互換性があってもよい。
【００７１】
フェムトアクセスポイント９１０は、単一の周波数上に配置されていてもよく、または、代替的に、複数の周波数上に配置されていてもよい。特定の構成に依存して、単一の周波数が、または、複数の周波数のうちの１つ以上が、マクロアクセスポイント（例えば、アクセスポイント９６０）により使用される１つ以上の周波数とオーバーラップしていてもよい。
【００７２】
いくつかの側面では、このような接続性が可能であるときはいつでも、好ましいフェムトアクセスポイント（例えば、アクセス端末９２０のホームフェムトアクセスポイント）に接続するように、アクセス端末９２０が構成されていてもよい。例えば、アクセス端末９２０Ａがユーザの住宅９３０内にあるときにはいつでも、アクセス端末９２０Ａは、ホームフェムトアクセスポイント９１０Ａまたは９１０Ｂとのみ通信することが望ましい。
【００７３】
いくつかの側面では、アクセス端末９２０が、マクロセルラネットワーク９５０内で動作しているが、（例えば、好ましいローミングリスト中に定義されているような）その最も好ましいネットワーク上に存在していない場合に、より良いシステムが現在利用可能であるか否かを決定するために、利用可能なシステムの周期的なスキャニングと、このような好ましいシステムに関係付けるための後続する活動とを伴ってもよいベターシステムリセレクション（ＢＳＲ）を使用して、アクセス端末９２０は、最も好ましいネットワーク（例えば、好ましいフェムトアクセスポイント９１０）をサーチし続けてもよい。捕捉エントリーによって、アクセス端末９２０は、特定のバンドおよびチャネルに対するサーチを制限するかもしれない。例えば、領域中のすべてのフェムトアクセスポイント（または、すべての制限されているフェムトアクセスポイント）がそのフェムトチャネル上で動作する、１つ以上のフェムトチャネルを定義してもよい。最も好ましいシステムに対するサーチを周期的に繰り返してもよい。好ましいフェムトアクセスポイント９１０を見つけると、そのカバレッジエリア内にとどまるために、アクセス端末９２０はフェムトアクセスポイント９１０を選択する。
【００７４】
いくつかの側面において、フェムトアクセスポイントを制限してもよい。例えば、所定のフェムトアクセスポイントは、あるアクセス端末に対してあるサービスのみを提供してもよい。いわゆる制限された（または閉じられた）関係での配置では、所定のアクセス端末は、マクロセル移動体ネットワークと、定義された組のフェムトアクセスポイント（例えば、対応するユーザの住宅９３０内に内在するフェムトアクセスポイント９１０）とによってのみ担当されてもよい。いくつかのインプリメンテーションでは、少なくとも１つのノードに対して、シグナリング、データアクセス、登録、ページング、またはサービスのうちの少なくとも１つを提供しないようにノードを制限してもよい。
【００７５】
いくつかの側面では、（閉じられた加入者グループホームノードＢとして呼ぶこともある）制限されたフェムトアクセスポイントは、供給される制限された組のアクセス端末にサービスを提供するものである。この組は、一時的に、または、必要に応じて永久的に、拡張してもよい。いくつかの側面では、アクセスが制限されている、ワイヤレスネットワーク（例えば、ＰＬＭＮ）の１つ以上のセルにアクセスすることが許可されている、オペレータの加入者を、閉じられた加入者グループは識別する。いくつかの側面では、閉じられた加入者グループは、アクセス端末の共通アクセス制御リストを共有するアクセスポイント（例えば、フェムトアクセスポイント）の組として定義されてもよい。
【００７６】
したがって、所定のフェムトアクセポイントと所定のアクセス端末との間に、さまざまな関係が存在しているかもしれない。例えば、アクセス端末の観点から、開かれたフェムトアクセスポイントは、制限されていない関係を持つフェムトアクセスポイント（例えば、フェムトアクセスポイントがあらゆるアクセス端末へのアクセスを可能にする）のことを指してもよい。制限されたフェムトアクセスポイントは、何らかの方法で制限されている（例えば、関係および／または登録に対して制限されている）フェムトアクセスポイントのことを指してもよい。ホームフェムトアクセスポイントは、そのフェムトアクセスポイントにアクセスし、その上で動作することがアクセス端末に認可されている（例えば、定義された組の１つ以上のアクセス端末に対して、永久的なアクセスを提供する）フェムトアクセスポイントのことを指してもよい。ハイブリッド（または、ゲスト）フェムトアクセスポイントは、そのフェムトアクセスポイントにアクセスし、その上で動作することがアクセス端末に一時的に認可されているフェムトアクセスポイントのことを指してもよい。エイリアンフェムトアクセスポイントは、緊急と思われる事態（例えば、９１１通話）を除いて、そのフェムトアクセスポイントにアクセスし、その上で動作することがアクセス端末に認可されていないフェムトアクセスポイントのことを指してもよい。
【００７７】
制限されたフェムトアクセスポイントの観点から、ホームアクセス端末は、制限されたフェムトアクセスポイントにアクセスすることが認可されているアクセス端末のことを指してもよい（例えば、アクセス端末は、フェムトアクセスポイントに対する永久的なアクセスを有している）。ゲストアクセス端末は、（例えば、期限切れ、使用の時間、バイト、接続カウント、または、他の何らかの基準に基づいて限定されている、）制限されたフェムトアクセスポイントへの一時的なアクセスを持つアクセス端末のことを指してもよい。エイリアンアクセス端末は、例えば９１１通話のような緊急と思われる事態を除いて、制限されたフェムトアクセスポイントにアクセスする許可を有していないアクセス端末（例えば、制限されたフェムトアクセスポイントに登録するための信用証明または許可を有していないアクセス端末）のことを指してもよい。
【００７８】
便宜上、ここでの開示は、フェムトアクセスポイントの文脈におけるさまざまな機能性を説明している。しかしながら、ピコアクセスポイントが、より大きいカバレッジエリアに対して、同じまたは類似する機能性を提供してもよいことを正しく認識すべきである。例えば、ピコアクセスポイントを制限してもよく、所定の端末に対してホームピコアクセスポイントを定義してもよい等である。
【００７９】
複数のワイヤレスアクセス端末に対する通信を同時にサポートするワイヤレス多元接続通信システムにおいて、ここでの教示を用いてもよい。ここで、各端末は、フォワードリンク上およびリバースリンク上の送信を通して、１つ以上のアクセスポイントと通信することができる。フォワードリンク（または、ダウンリンク）は、アクセスポイントから端末への通信リンクのことを指し、リバースリンク（または、アップリンク）は、端末からアクセスポイントへの通信リンクのことを指す。単一入力単一出力システムや、複数入力複数出力（ＭＩＭＯ）システムや、または他の何らかのタイプのシステムを通して、この通信リンクを確立することができる。
【００８０】
ＭＩＭＯシステムは、データ送信のために、複数（ＮT本）の送信アンテナと複数（ＮR本）の受信アンテナとを用いる。ＮT本のアンテナとＮR本の受信アンテナとにより形成されるＭＩＭＯチャネルは、ＮS個の個別のチャネルに分解することができ、これは、空間チャネルとしても呼ばれ、ここで、ＮS≦ｍｉｎ｛ＮT，ＮR｝である。ＮS個の個別のチャネルのそれぞれは、次元に対応する。ＭＩＭＯシステムは、複数の送信アンテナおよび受信アンテナにより生成される付加的な次元を利用する場合に、改善された性能（例えば、より高いスループットおよび／またはより大きな信頼性）を提供することができる。
【００８１】
ＭＩＭＯシステムは、時分割デュプレクス（ＴＤＤ）および周波数分割デュプレクス（ＦＤＤ）をサポートしていてもよい。ＴＤＤシステムでは、相互関係原理により、リバースリンクチャネルからフォワードリンクチャネルの推定が可能になるように、フォワードリンク送信とリバースリンク送信は、同じ周波数領域上にある。これにより、アクセスポイントにおいて複数のアンテナが利用可能であるときに、アクセスポイントが、フォワードリンク上で、送信ビームフォーミング利得を抽出することが可能になる。
【００８２】
図１１は、サンプルのＭＩＭＯシステム１１００の、ワイヤレスデバイス１１１０（例えば、アクセスポイント）とワイヤレスデバイス１１５０（例えば、アクセス端末）とを示している。デバイス１１１０において、多数のデータストリームに対するトラフィックデータが、データソース１１１２から送信（ＴＸ）データプロセッサ１１１４へと提供される。その後、それぞれの送信アンテナを通して、各データストリームを送信することができる。
【００８３】
ＴＸデータプロセッサ１１１４は、コード化されたデータを提供するために、そのデータストリームに対して選択された特定のコーディングスキームに基づいて、各データストリームに対するトラフィックデータをフォーマットし、コード化し、およびインターリーブする。各データストリームに対してコード化されたデータは、ＯＦＤＭ技術を使用して、パイロットデータと多重化することができる。パイロットデータは、一般的に、既知の方法で処理される既知のデータパターンであり、受信機システムにおいてパイロットデータを使用して、チャネル応答を推定することができる。各データストリームに対する多重化されたパイロットおよびコード化されたデータは、その後、変調シンボルを提供するために、そのデータストリームに対して選択された特定の変調スキーム（例えば、ＢＰＳＫ、ＱＳＰＫ、Ｍ−ＰＳＫ、またはＭ−ＱＡＭ）に基づいて、変調（すなわち、シンボルマッピング）される。各データストリームに対するデータレート、コーディング、および変調は、プロセッサ１１３０より実行される命令により、決定することができる。データメモリ１１３２は、プロセッサ１１３０またはデバイス１１１０の他のコンポーネントにより使用される、プログラムコード、データ、および他の情報を記憶していてもよい。
【００８４】
その後、すべてのデータストリームに対する変調シンボルを、ＴＸ ＭＩＭＯプロセッサ１１２０に提供し、ＴＸ ＭＩＭＯプロセッサ１１２０は、（例えば、ＯＦＤＭに対する）変調シンボルをさらに処理することができる。その後、ＴＸ ＭＩＭＯプロセッサ１１２０は、ＮT台のトランシーバ（ＸＣＶＲ）１１２２Ａないし１１２２ＴにＮT個の変調シンボルストリームを提供する。いくつかの側面では、ＴＸ ＭＩＭＯプロセッサ１１２０は、データストリームのシンボルに、および、そこからシンボルが送信されるアンテナに、ビームフォーミングの重みを提供する。
【００８５】
各トランシーバ１１２２は、それぞれのシンボルストリームを受け取って処理して、１つ以上のアナログ信号を提供し、アナログ信号をさらに調整し（例えば、増幅し、フィルタリングし、およびアップコンバートし）、ＭＩＭＯチャネルを通して送信するのに適した変調信号を提供する。その後、トランシーバ１１２２Ａないし１１２２ＴからのＮT個の変調信号を、ＮT本のアンテナ１１２４Ａないし１１２４Ｔからそれぞれ送信する。
【００８６】
送信された変調信号は、ＮR本のアンテナ１１５２Ａないし１１５２Ｒによりデバイス１１５０において受信され、各アンテナ１１５２からの受信信号は、それぞれのトランシーバ（ＸＣＶＲ）１１５４Ａないし１１５４Ｒに提供される。各トランシーバ１１５４は、それぞれの受信信号を調整し（例えば、フィルタリングし、増幅し、およびダウンコンバートし）、調整した信号をデジタル化してサンプルを提供し、さらにサンプルを処理して、対応する“受信した”シンボルストリームを提供する。
【００８７】
その後、受信（ＲＸ）データプロセッサ１１６０が、ＮR個の受信したシンボルストリームをＮR台のトランシーバ１１５４から受け取って、特定の受信機処理技術に基づいて処理し、ＮT個の“検出した”シンボルストリームを提供する。その後、ＲＸデータプロセッサ１１６０が、各検出したシンボルストリームを復調し、デインターリーブし、およびデコードして、データストリームに対するトラフィックデータを復元する。ＲＸデータプロセッサ１１６０による処理は、デバイス１１１０においてＴＸ ＭＩＭＯプロセッサ１１２０とＴＸデータプロセッサ１１１４とにより実行される処理と相補的である。
【００８８】
（下記で論じるように、）プロセッサ１１７０は、どのプリコーディング行列を使用するかを周期的に決定する。プロセッサ１１７０は、行列インデックス部分と、ランク値部分とを含むリバースメッセージを構築する。データメモリ１１７２は、プロセッサ１１７０またはデバイス１１５０の他のコンポーネントにより使用される、プログラムコード、データ、および他の情報を記憶していてもよい。
【００８９】
リバースリンクメッセージは、通信リンクおよび／または受信したデータストリームに関する、さまざまなタイプの情報を含んでいてもよい。リバースリンクメッセージは、その後、データソース１１３６からの多数のデータストリームに対するトラフィックデータも受信するＴＸデータプロセッサ１１３８により処理され、変調器１１８０により変調され、トランシーバ１１５４Ａないし１１５４Ｒにより調整され、デバイス１１１０に返信される。
【００９０】
デバイス１１１０において、デバイス１１５０からの変調信号を、アンテナ１１２４により受信し、トランシーバ１１２２により調整し、復調器（ＤＥＭＯＤ）１１４０により復調し、および、ＲＸデータプロセッサ１１４２により処理して、デバイス１１５０により送信されたリバースリンクメッセージを抽出する。それから、プロセッサ１１３０は、ビームフォーミングの重みを決定するためにどのプリコーディング行列を使用するかを決定し、その後、抽出したメッセージを処理する。
【００９１】
図１１はまた、ここで教示しているようなハンドオーバー制御動作を実行する１つ以上のコンポーネントを、通信コンポーネントが備えていてもよいことを示している。例えば、ハンドオーバー制御コンポーネント１１９０は、プロセッサ１１３０および／またはデバイス１１１０の他のコンポーネントと協働して、ここで教示しているような別のデバイス（例えば、デバイス１１５０）に信号を送ってもよく、ここで教示しているような別のデバイス（例えば、デバイス１１５０）から信号を受信してもよい。同様に、ハンドオーバー制御コンポーネント１１９２は、プロセッサ１１７０および／またはデバイス１１５０の他のコンポーネントと協働して、別のデバイス（例えば、デバイス１１１０）に信号を送ってもよく、別のデバイス（例えば、デバイス１１１０）から信号を受信してもよい。各デバイス１１１０および１１５０に対して、説明したコンポーネントのうちの２つ以上の機能性を、単一のコンポーネントにより提供してもよいことを正しく認識すべきである。例えば、単一の処理コンポーネントが、ハンドオーバー制御コンポーネント１１９０およびプロセッサ１１３０の機能性を提供してもよく、単一の処理コンポーネントが、ハンドオーバー制御コンポーネント１１９２およびプロセッサ１１７０の機能性を提供してもよい。
【００９２】
さまざまなタイプの通信システムおよび／またはシステムコンポーネントの中に、ここでの教示を組み込んでもよい。いくつかの側面では、利用可能なシステムリソースを共有することにより（例えば、帯域幅、送信電力、コーディング、インターリービング等のうちの１つ以上を指定することにより）、複数のユーザとの通信をサポートすることが可能な多元接続システムにおいて、ここでの教示を用いてもよい。例えば、ここでの教示を以下の技術のうちの何らかの１つまたは組み合わせに適用してもよい：コード分割多元接続（ＣＤＭＡ）システム、複数搬送波ＣＤＭＡ（ＭＣＣＤＭＡ）、ワイドバンドＣＤＭＡ（Ｗ−ＣＤＭＡ）、高速パケットアクセス（ＨＳＰＡ、ＨＳＰＡ＋）システム、時分割多元接続（ＴＤＭＡ）システム、周波数分割多元接続（ＦＤＭＡ）システム、単一搬送波ＦＤＭＡ（ＳＣ−ＦＤＭＡ）システム、直交周波数分割多元接続（ＯＦＤＭＡ）システム、または、他の多元接続技術である。ここでの教示を用いるワイヤレス通信システムは、ＩＳ−９５、ｃｄｍａ２０００、ＩＳ−８５６、Ｗ−ＣＤＭＡ、ＴＤＳＣＤＭＡ、および他の標準規格のような、１つ以上の標準規格を実現するように設計されていてもよい。ＣＤＭＡネットワークは、ユニバーサル地上無線アクセス（ＵＴＲＡ）、ｃｄｍａ２０００、または他の何らかの技術のような、無線技術を実現してもよい。ＵＴＲＡは、Ｗ−ＣＤＭＡおよび低チップレート（ＬＣＲ）を含んでいる。ｃｄｍａ２０００技術は、ＩＳ−２０００、ＩＳ−９５、および、ＩＳ−８５６標準規格をカバーしている。ＴＤＭＡネットワークは、グローバルシステムフォーモバイルコミュニケーション（ＧＳＭ（登録商標））のような、無線技術を実現してもよい。ＯＦＤＭＡネットワークは、エボルブドＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）等のような、無線技術を実現してもよい。ＵＴＲＡ、Ｅ−ＵＴＲＡ、およびＧＳＭは、ユニバーサルモバイルテレコミュニケーションシステム（ＵＭＴＳ）の一部である。ここでの教示は、３ＧＰＰロングタームエボリューション（ＬＴＥ）システム、ウルトラモバイルブロードバンド（ＵＭＢ）システム、および他のタイプのシステムにおいて、実現してもよい。ＬＴＥは、Ｅ−ＵＴＲＡを使用するＵＭＴＳのリリースである。ＵＴＲＡ、Ｅ−ＵＴＲＡ、ＧＳＭ、ＵＭＴＳ、および、ＬＴＥは、“第３世代パートナーシッププロジェクト”（３ＧＰＰ）という名の組織による文書中に記述されている一方で、ｃｄｍａ２０００は、“第３世代パートナーシッププロジェクト２”（３ＧＰＰ２）という名の組織による文書中に記述されている。３ＧＰＰの専門用語を使用して、開示のある側面を記述することができるが、ここでの教示が、３ＧＰＰ（例えば、Ｒｅ１９９、Ｒｅ１５、Ｒｅ１６、Ｒｅ１７）技術とともに、３ＧＰＰ２（例えば、１ｘＲＴＴ、１ｘＥＶ−ＤＯ、ＲｅｌＯ、ＲｅｖＡ、ＲｅｖＢ）技術および他の技術に適用できることを理解すべきである。
【００９３】
さまざまな装置（例えば、ノード）中に、ここでの教示を組み込んでもよい（例えば、さまざまな装置（例えば、ノード）内で実現してもよい、または、さまざまな装置（例えば、ノード）により実行してもよい）。いくつかの側面では、ここでの教示にしたがって実現されるノード（例えば、ワイヤレスノード）は、アクセスポイントまたはアクセス端末を含んでいてもよい。
【００９４】
例えば、アクセス端末は、ユーザ機器、加入者局、加入者ユニット、移動局、移動体、移動体ノード、遠隔局、遠隔端末、ユーザ端末、ユーザエージェント、ユーザデバイス、または、他の何らかの専門用語を含んでいてもよく、アクセス端末は、ユーザ機器、加入者局、加入者ユニット、移動局、移動体、移動体ノード、遠隔局、遠隔端末、ユーザ端末、ユーザエージェント、ユーザデバイス、または、他の何らかの専門用語として実現してもよく、あるいは、アクセス端末は、ユーザ機器、加入者局、加入者ユニット、移動局、移動体、移動体ノード、遠隔局、遠隔端末、ユーザ端末、ユーザエージェント、ユーザデバイス、または、他の何らかの専門用語として知られていてもよい。いくつかのインプリメンテーションでは、アクセス端末は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、または、ワイヤレスモデムに接続されている他の何らかの適切な処理デバイスを含んでいてもよい。したがって、電話機（例えば、セルラ電話機またはスマートフォン）、コンピュータ（例えば、ラップトップ）、ポータブル通信デバイス、ポータブルコンピューティングデバイス（例えば、パーソナルデジタルアシスタント）、エンターテイメントデバイス（例えば、音楽デバイス、ビデオデバイス、または、衛星ラジオ）、グローバルポジショニングシステムデバイス、あるいは、ワイヤレス手段を通して通信するように構成されている他の何らかの適切なデバイスの中に、ここで教示している１つ以上の側面を組み込んでもよい。
【００９５】
アクセスポイントは、ノードＢ、ｅノードＢ、無線ネットワーク制御装置（ＲＮＣ）、基地局（ＢＳ）、無線基地局（ＲＢＳ）、基地局制御装置（ＢＳＣ）、基地トランシーバ局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または、他の何らかの類似する専門用語を含んでいてもよく、ノードＢ、ｅノードＢ、無線ネットワーク制御装置（ＲＮＣ）、基地局（ＢＳ）、無線基地局（ＲＢＳ）、基地局制御装置（ＢＳＣ）、基地トランシーバ局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または、他の何らかの類似する専門用語として実現してもよく、ノードＢ、ｅノードＢ、無線ネットワーク制御装置（ＲＮＣ）、基地局（ＢＳ）、無線基地局（ＲＢＳ）、基地局制御装置（ＢＳＣ）、基地トランシーバ局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または、他の何らかの類似する専門用語として知られていてもよい。
【００９６】
いくつかの側面では、ノード（例えば、アクセスポイント）は、通信システムに対するアクセスノードを含んでいてもよい。このようなアクセスノードは、ネットワーク（例えば、インターネットのようなワイドエリアネットワーク、または、セルラネットワーク）に対するワイヤード通信リンクまたはワイヤレス通信リンクを通して、ネットワークのための接続性、あるいは、ネットワークに対する接続性を提供してもよい。したがって、アクセスノードは、別のノード（例えば、アクセス端末）が、ネットワークに、または、他の何らかの機能性に、アクセスすることを可能にする。加えて、ノードのうちの１つまたは双方が、ポータブルであってもよく、いくつかのケースでは、比較的ポータブルでなくてもよいことを正しく認識すべきである。
【００９７】
また、ワイヤレスノードが、ワイヤレスでない方法で（例えば、ワイヤード接続を通して）、情報を送信および／または受信できることを正しく認識すべきである。したがって、ここで論じるような受信機および送信機は、ワイヤレスでない手段を通して通信する適切な通信インターフェースコンポーネント（例えば、電気的または光学的なインターフェースコンポーネント）を備えていてもよい。
【００９８】
何らかの適切なワイヤレス通信技術に基づいている、または、そうでなければ、何らかの適切なワイヤレス通信技術をサポートする、１つ以上のワイヤレス通信リンクを通して、ワイヤレスノードは通信してもよい。例えば、いくつかの側面では、ワイヤレスノードは、ネットワークに関係付けられていてもよい。いくつかの側面では、ネットワークは、ローカルエリアネットワークまたはワイドエリアネットワークを含んでいてもよい。ワイヤレスデバイスは、ここで論じたもの（例えば、ＣＤＭＡ、ＴＤＭＡ、ＯＦＤＭ、ＯＦＤＭＡ、ＷｉＭＡＸ、ＷｉＦｉ（登録商標）等）のような、さまざまなワイヤレス通信技術、プロトコル、または、標準規格のうちの１つ以上をサポートしていてもよく、あるいは、そうでなければ、使用してもよい。同様に、ワイヤレスノードは、さまざまな対応する変調スキームまたは多重化スキームのうちの１つ以上をサポートしていてもよく、あるいは、そうでなければ、使用してもよい。したがって、ワイヤレスノードは、上記のまたは他のワイヤレス通信技術を使用して、１つ以上のワイヤレス通信リンクを確立するための、および、上記のまたは他のワイヤレス通信技術を使用して、１つ以上のワイヤレス通信リンクを通して通信するための、適切なコンポーネント（例えば、エアインターフェース）を含んでいてもよい。例えば、ワイヤレスノードは、ワイヤレスモデムを通しての通信を促進するさまざまなコンポーネント（例えば、信号発生器および信号プロセッサ）を含んでいてもよい、関係付けられている送信機および受信機のコンポーネントを持つ、ワイヤレストランシーバを備えていてもよい。
【００９９】
（例えば、添付の図面のうちの１つ以上に関する）ここで説明する機能性は、いくつかの側面において、添付の特許請求の範囲中で同様に指定されている“手段”の機能性に対応していてもよい。図１２、図１３、図１４、および図１５を参照すると、装置１２００、装置１３００、装置１４００、および装置１５００は、一連の相互に関係する機能モジュールとして表されている。ここで、接続確立モジュール１２０２は、少なくともいくつかの側面において、例えば、ここで論じたような通信制御装置に対応していてもよい。ＣＳＧ加入情報受信モジュール１２０４は、少なくともいくつかの側面において、例えば、ここで論じたような通信制御装置に対応していてもよい。ハンドオーバー決定モジュール１２０６は、少なくともいくつかの側面において、例えば、ここで論じたようなハンドオーバー制御装置に対応していてもよい。ハンドオーバー要求メッセージ送信モジュール１２０８は、少なくともいくつかの側面において、例えば、ここで論じたような通信制御装置に対応していてもよい。ハンドオーバー必要メッセージ送信モジュール１２１０は、少なくともいくつかの側面において、例えば、ここで論じたような通信制御装置に対応していてもよい。ハンドオーバー要求メッセージ受信モジュール１３０２は、少なくともいくつかの側面において、例えば、ここで論じたような通信制御装置に対応していてもよい。ハンドオーバー決定モジュール１３０４は、少なくともいくつかの側面において、例えば、ここで論じたようなハンドオーバー制御装置に対応していてもよい。ハンドオーバー表示受信モジュール１３０６は、少なくともいくつかの側面において、例えば、ここで論じたような通信制御装置に対応していてもよい。ハンドオーバーメッセージ受信モジュール１４０２は、少なくともいくつかの側面において、例えば、ここで論じたような通信制御装置に対応していてもよい。比較モジュール１４０４は、少なくともいくつかの側面において、例えば、ここで論じたようなハンドオーバー制御装置に対応していてもよい。ハンドオーバー決定モジュール１４０６は、少なくともいくつかの側面において、例えば、ここで論じたようなハンドオーバー制御装置に対応していてもよい。ハンドオーバー要求メッセージ送信モジュール１４０８は、少なくともいくつかの側面において、例えば、ここで論じたような通信制御装置に対応していてもよい。表示送信モジュール１４１０は、少なくともいくつかの側面において、例えば、ここで論じたような通信制御装置に対応していてもよい。メッセージ受信モジュール１５０２は、少なくともいくつかの側面において、例えば、ここで論じたような通信制御装置に対応していてもよい。ＣＳＧ加入情報送信モジュール１５０４は、少なくともいくつかの側面において、例えば、ここで論じたようなハンドオーバー制御装置に対応していてもよい。
【０１００】
図１２〜図１５のモジュールの機能性は、ここでの教示と一致するさまざまな方法で、実現してもよい。いくつかの側面では、これらのモジュールの機能性は、１つ以上の電気的なコンポーネントとして実現してもよい。いくつかの側面では、これらのブロックの機能性は、１つ以上のプロセッサコンポーネントを含む処理システムとして実現してもよい。いくつかの側面では、これらのモジュールの機能性は、例えば、１つ以上の集積回路（例えば、ＡＳＩＣ）の少なくとも一部分を使用して、実現してもよい。ここで論じるように、集積回路は、プロセッサ、ソフトウェア、他の関連するコンポーネント、または、これらの何らかの組み合わせを含んでいてもよい。これらのモジュールの機能性はまた、ここで教示しているような他の何らかの方法で実現してもよい。いくつかの側面では、図１２〜図１５中のあらゆる破線のブロックのうちの１つ以上は、オプション的である。
【０１０１】
“第１の”、“第２の”等のような指定を使用する、ここでのエレメントに対する何らかの参照は、一般的に、これらのエレメントの量または順序を限定しないことを理解すべきである。むしろ、これらの指定は、２つ以上のエレメントまたはエレメントの例を区別する便宜的な方法として、ここでは使用している。したがって、第１のエレメントおよび第２のエレメントに対する参照は、２つのエレメントだけをそこで用いること、あるいは、第１のエレメントが、何らかの方法で第２のエレメントに先行しなければならないことを意味しない。また、そうではないと述べられていない限り、１組のエレメントは、１つ以上のエレメントを含んでいてもよい。加えて、説明中または特許請求の範囲中で使用されている、“Ａ、Ｂ、またはＣのうちの少なくとも１つ”という形態の専門用語は、“ＡまたはＢまたはＣまたはこれらのエレメントの何らかの組み合わせ”を意味する。
【０１０２】
当業者は、さまざまな異なる技術および技法のうちの任意のものを使用して、情報および信号を表してもよいことを理解するだろう。例えば、上記の説明全体を通して参照された、データ、命令、コマンド、情報、信号、ビット、シンボル、およびチップは、電圧、電流、電磁波、磁界または磁気の粒子、光学界または光の粒子、あるいは、これらの何らかの組み合わせにより、表してもよい。
【０１０３】
ここで開示した側面に関連して説明した、さまざまな例示的な論理ブロック、モジュール、プロセッサ、手段、回路およびアルゴリズムステップのうちの任意のものが、電子ハードウェア（例えば、ソースコーディングまたは他の何らかの技術を使用して設計してもよい、デジタルインプリメンテーション、アナログインプリメンテーション、またはこの２つの組み合わせ）、（ここでは、便宜上、“ソフトウェア”または“ソフトウェアモジュール”として呼ぶことがある、）命令を組み込んでいる、さまざまな形態のプログラムまたは設計コード、あるいは双方の組み合わせたものとして実現してもよいことを当業者はさらに正しく認識するであろう。ハードウェアおよびソフトウェアのこの交換可能性を明確に示すために、さまざまな例示的なコンポーネント、ブロック、モジュール、回路およびステップを一般的にこれらの機能性に関して上記で説明した。このような機能性がハードウェアあるいはソフトウェアとして実現されるか否かは、特定の応用および全体的なシステムに課せられた設計の制約に依存する。当業者は、それぞれの特定の応用に対して方法を変化させて、説明した機能性を実現してもよいが、このような実現決定は、本開示の範囲からの逸脱を生じさせるものとして解釈すべきではない。
【０１０４】
ここで開示した側面に関連して説明した、さまざまな例示的な論理的ブロック、モジュールおよび回路は、集積回路（ＩＣ）内、アクセス端末内、またはアクセスポイント内で実現してもよく、あるいは、集積回路（ＩＣ）、アクセス端末、またはアクセスポイントにより、実行してもよい。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、電気コンポーネント、光学コンポーネント、機械コンポーネント、あるいは、ここで説明した機能を実行するために設計されたこれらの何らかの組み合わせを含んでいてもよく、ＩＣは、ＩＣ内、ＩＣの外部、またはその双方に内在するコードあるいは命令を実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現してもよい。
【０１０５】
開示した何らかのプロセスにおけるステップの何らかの特有な順序または階層が、サンプルのアプローチの例であることが理解される。設計選択に基づいて、プロセスにおけるステップの特有な順序または階層は、本開示の範囲内を保つ限り、再構成してもよいことが理解される。添付している方法の請求項は、サンプルの順序におけるさまざまなステップのエレメントを提示しており、提示した特有な順序または階層に限定されることを意味しない。
【０１０６】
１つ以上の例示的な実施形態では、ハードウェアで、ソフトウェアで、ファームウェアで、または、これらの何らかの組み合わせで、説明した機能を実現してもよい。ソフトウェアで実現した場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、およびマイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含めるべきである。何らかの適切なコンピュータプログラムプロダクトでコンピュータ読取可能媒体を実現してもよいことを正しく認識すべきである。
【０１０７】
開示した側面のこれまでの説明は、当業者が本開示を製作または使用できるように提供されている。これらの側面に対するさまざま改良は当業者に容易に明らかとなり、ここに定義された一般的な原理は、本開示の範囲を逸脱することなく、他の側面に適用してもよい。したがって、本開示は、ここに示された側面に限定されることを意図しているものではなく、ここで開示されている原理および新しい特徴と一致した最も広い範囲に一致させるべきである。
【図１】
2014131324.tif 000003
【図２】
2014131324.tif 000004
【図３】
2014131324.tif 000005
【図４】
2014131324.tif 000006
【図５】
2014131324.tif 000007
【図６】
2014131324.tif 000008
【図７】
2014131324.tif 000009
【図８】
2014131324.tif 000010
【図９】
2014131324.tif 000011
【図１０】
2014131324.tif 000012
【図１１】
2014131324.tif 000013
【図１２】
2014131324.tif 000014
【図１３】
2014131324.tif 000015
【図１４】
2014131324.tif 000016
【図１５】
2014131324.tif 000017
【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
通信の方法において、
アクセスポイントにおいて、ハンドオーバー要求メッセージを受信することと、
前記ハンドオーバー要求メッセージに応答して、アクセス端末を前記アクセスポイントにハンドオーバーすることを許可するか否かを決定することとを含み、
前記ハンドオーバー要求メッセージは、前記アクセス端末に対する閉じられた加入者グループ加入情報を含み、
前記決定は、前記閉じられた加入者グループ加入情報に基づくものである方法。
【請求項２】
前記決定は、前記閉じられた加入者グループ加入情報が、前記アクセスポイントに関係付けられている閉じられた加入者グループの識別子を含んでいるか否かを決定することを含む請求項１記載の方法。
【請求項３】
前記閉じられた加入者グループ加入情報は、前記アクセス端末がアクセスすることが許可されている少なくとも１つの閉じられた加入者グループを識別する請求項２記載の方法。
【請求項４】
前記アクセスポイントは、前記ハンドオーバー要求メッセージ中に含まれているハンドオーバー制限リストを通して、前記閉じられた加入者グループ加入情報を受信する請求項１記載の方法。
【請求項５】
前記アクセス端末の前記ハンドオーバーに対するソースアクセスポイントから前記ハンドオーバー要求メッセージを受信する請求項１記載の方法。
【請求項６】
前記アクセスポイントへの前記アクセス端末の前記ハンドオーバーが許可されているか否かの表示を、ネットワークノードから受信することをさらに含む請求項１記載の方法。
【請求項７】
前記ネットワークノードは、モビリティマネージャーを含む請求項６記載の方法。
【請求項８】
ネットワークノードから前記ハンドオーバー要求メッセージを受信する請求項１記載の方法。
【請求項９】
前記ネットワークノードは、モビリティマネージャーを含む請求項８記載の方法。
【請求項１０】
前記アクセスポイントは、フェムトアクセスポイントを含む請求項１記載の方法。
【請求項１１】
通信のための装置において、
アクセスポイントにおいて、ハンドオーバー要求メッセージを受信するように構成されている通信制御装置と、
前記ハンドオーバー要求メッセージに応答して、アクセス端末を前記アクセスポイントにハンドオーバーすることを許可するか否かを決定するように構成されているハンドオーバー制御装置とを具備し、
前記ハンドオーバー要求メッセージは、前記アクセス端末に対する閉じられた加入者グループ加入情報を含み、
前記決定は、前記閉じられた加入者グループ加入情報に基づくものである装置。
【請求項１２】
前記決定は、前記閉じられた加入者グループ加入情報が、前記アクセスポイントに関係付けられている閉じられた加入者グループの識別子を含んでいるか否かを決定することを含む請求項１１記載の装置。
【請求項１３】
前記アクセスポイントは、前記ハンドオーバー要求メッセージ中に含まれているハンドオーバー制限リストを通して、前記閉じられた加入者グループ加入情報を受信する請求項１１記載の装置。
【請求項１４】
前記通信制御装置は、前記アクセスポイントへの前記アクセス端末の前記ハンドオーバーが許可されているか否かの表示を、ネットワークノードから受信するようにさらに構成されている請求項１１記載の装置。
【請求項１５】
前記ネットワークノードは、モビリティマネージャーを含む請求項１４記載の装置。
【請求項１６】
通信のための装置において、
アクセスポイントにおいて、ハンドオーバー要求メッセージを受信する手段と、
前記ハンドオーバー要求メッセージに応答して、アクセス端末を前記アクセスポイントにハンドオーバーすることを許可するか否かを決定する手段とを具備し、
前記ハンドオーバー要求メッセージは、前記アクセス端末に対する閉じられた加入者グループ加入情報を含み、
前記決定は、前記閉じられた加入者グループ加入情報に基づくものである装置。
【請求項１７】
前記決定は、前記閉じられた加入者グループ加入情報が、前記アクセスポイントに関係付けられている閉じられた加入者グループの識別子を含んでいるか否かを決定することを含む請求項１６記載の装置。
【請求項１８】
前記アクセスポイントは、前記ハンドオーバー要求メッセージ中に含まれているハンドオーバー制限リストを通して、前記閉じられた加入者グループ加入情報を受信する請求項１６記載の装置。
【請求項１９】
前記アクセスポイントへの前記アクセス端末の前記ハンドオーバーが許可されているか否かの表示を、ネットワークノードから受信する手段をさらに具備する請求項１６記載の装置。
【請求項２０】
前記ネットワークノードは、モビリティマネージャーを含む請求項１９記載の装置。
【請求項２１】
コンピュータ読取可能記憶媒体において、
アクセスポイントにおいて、ハンドオーバー要求メッセージをコンピュータに受信させ、
前記ハンドオーバー要求メッセージに応答して、アクセス端末を前記アクセスポイントにハンドオーバーすることを許可するか否かを前記コンピュータに決定させるためのコードを含み、
前記ハンドオーバー要求メッセージは、前記アクセス端末に対する閉じられた加入者グループ加入情報を含み、
前記決定は、前記閉じられた加入者グループ加入情報に基づくものであるコンピュータ読取可能記憶媒体。
【請求項２２】
前記決定は、前記閉じられた加入者グループ加入情報が、前記アクセスポイントに関係付けられている閉じられた加入者グループの識別子を含んでいるか否かを決定することを含む請求項２１記載のコンピュータ読取可能記憶媒体。
【請求項２３】
前記アクセスポイントは、前記ハンドオーバー要求メッセージ中に含まれているハンドオーバー制限リストを通して、前記閉じられた加入者グループ加入情報を受信する請求項２１記載のコンピュータ読取可能記憶媒体。
【請求項２４】
前記コンピュータ読取可能記憶媒体は、前記アクセスポイントへの前記アクセス端末の前記ハンドオーバーが許可されているか否かの表示を、ネットワークノードから、前記コンピュータに受信させるためのコードをさらに含む請求項２１記載のコンピュータ読取可能記憶媒体。
【請求項２５】
前記ネットワークノードは、モビリティマネージャーを含む請求項２４記載のコンピュータ読取可能記憶媒体。
【手続補正２】
【補正対象書類名】明細書
【補正対象項目名】０１０７
【補正方法】変更
【補正の内容】
【０１０７】
開示した側面のこれまでの説明は、当業者が本開示を製作または使用できるように提供されている。これらの側面に対するさまざま改良は当業者に容易に明らかとなり、ここに定義された一般的な原理は、本開示の範囲を逸脱することなく、他の側面に適用してもよい。したがって、本開示は、ここに示された側面に限定されることを意図しているものではなく、ここで開示されている原理および新しい特徴と一致した最も広い範囲に一致させるべきである。
以下に、本願出願時の特許請求の範囲に記載された発明を付記する。
［１］通信の方法において、
第１のアクセスポイントにおいて、アクセス端末に対する接続を確立することと、
前記第１のアクセスポイントにおいて、前記アクセス端末に対する閉じられた加入者グループ加入情報を受信することと、
前記受信した閉じられた加入者グループ情報に基づいて、前記アクセス端末を第２のアクセスポイントにハンドオーバーすることを許可するか否かを決定することとを含み、
前記閉じられた加入者グループ加入情報は、前記アクセス端末がアクセスすることが許可されている少なくとも１つの閉じられた加入者グループを識別する方法。
[２]前記第１のアクセスポイントは、ハンドオーバー制限リストを通して、前記閉じられた加入者グループ加入情報を受信する[１]記載の方法。
[３]前記決定に基づいて、前記第２のアクセスポイントに対してハンドオーバー要求メッセージを送ることをさらに含み、前記ハンドオーバー要求メッセージは、前記閉じられた加入者グループ加入情報を含む[１]記載の方法。
[４]前記ハンドオーバー要求メッセージ中の前記閉じられた加入者グループ加入情報は、ハンドオーバー制限リストの中に含まれている[３]記載の方法。
[５]前記決定に基づいて、ネットワークノードに対してハンドオーバー必要メッセージを送ることをさらに含む[１]記載の方法。
[６]前記ネットワークノードは、モビリティマネージャーを含む[５]記載の方法。
[７]前記閉じられた加入者グループ加入情報は、少なくとも１つの閉じられた加入者グループ識別子のリストを含み、
前記決定は、前記第２のアクセスポイントに関係付けられている閉じられた加入者グループ識別子が、前記リスト中にあるか否かを決定することを含む[１]記載の方法。
[８]前記決定は、前記アクセス端末からの測定報告によりトリガされる[７]記載の方法。
[９]前記第２のアクセスポイントは、フェムトアクセスポイントを含む[１]記載の方法。
[１０]通信のための装置において、
第１のアクセスポイントにおいて、アクセス端末に対する接続を確立するように構成され、前記第１のアクセスポイントにおいて、前記アクセス端末に対する閉じられた加入者グループ加入情報を受信するようにさらに構成されている通信制御装置と、
前記受信した閉じられた加入者グループ情報に基づいて、前記アクセス端末を第２のアクセスポイントにハンドオーバーすることを許可するか否かを決定するように構成されているハンドオーバー制御装置とを具備し、
前記閉じられた加入者グループ加入情報は、前記アクセス端末がアクセスすることが許可されている少なくとも１つの閉じられた加入者グループを識別する装置。
[１１]前記第１のアクセスポイントは、ハンドオーバー制限リストを通して、前記閉じられた加入者グループ加入情報を受信する[１０]記載の装置。
[１２]前記通信制御装置は、前記決定に基づいて、前記第２のアクセスポイントに対してハンドオーバー要求メッセージを送るようにさらに構成され、前記ハンドオーバー要求メッセージは、前記閉じられた加入者グループ加入情報を含む[１０]記載の装置。
[１３]前記通信制御装置は、前記決定に基づいて、ネットワークノードに対してハンドオーバー必要メッセージを送るようにさらに構成されている[１０]記載の装置。
[１４]前記閉じられた加入者グループ加入情報は、少なくとも１つの閉じられた加入者グループ識別子のリストを含み、
前記決定は、前記第２のアクセスポイントに関係付けられている閉じられた加入者グループ識別子が、前記リスト中にあるか否かを決定することを含む[１０]記載の装置。
[１５]通信のための装置において、
第１のアクセスポイントにおいて、アクセス端末に対する接続を確立する手段と、
前記第１のアクセスポイントにおいて、前記アクセス端末に対する閉じられた加入者グループ加入情報を受信する手段と、
前記受信した閉じられた加入者グループ情報に基づいて、前記アクセス端末を第２のアクセスポイントにハンドオーバーすることを許可するか否かを決定する手段とを具備し、
前記閉じられた加入者グループ加入情報は、前記アクセス端末がアクセスすることが許可されている少なくとも１つの閉じられた加入者グループを識別する装置。
[１６]前記第１のアクセスポイントは、ハンドオーバー制限リストを通して、前記閉じられた加入者グループ加入情報を受信する[１５]記載の装置。
[１７]前記決定に基づいて、前記第２のアクセスポイントに対してハンドオーバー要求メッセージを送る手段をさらに具備し、前記ハンドオーバー要求メッセージは、前記閉じられた加入者グループ加入情報を含む[１５]記載の装置。
[１８]前記決定に基づいて、ネットワークノードに対してハンドオーバー必要メッセージを送る手段をさらに具備する[１５]記載の装置。
[１９]前記閉じられた加入者グループ加入情報は、少なくとも１つの閉じられた加入者グループ識別子のリストを含み、
前記決定は、前記第２のアクセスポイントに関係付けられている閉じられた加入者グループ識別子が、前記リスト中にあるか否かを決定することを含む[１５]記載の装置。
[２０]コンピュータプログラムプロダクトにおいて、
第１のアクセスポイントにおいて、アクセス端末に対する接続をコンピュータに確立させ、
前記第１のアクセスポイントにおいて、前記アクセス端末に対する閉じられた加入者グループ加入情報を前記コンピュータに受信させ、
前記受信した閉じられた加入者グループ情報に基づいて、前記アクセス端末を第２のアクセスポイントにハンドオーバーすることを許可するか否かを前記コンピュータに決定させるためのコードを含むコンピュータ読取可能媒体を具備し、
前記閉じられた加入者グループ加入情報は、前記アクセス端末がアクセスすることが許可されている少なくとも１つの閉じられた加入者グループを識別するコンピュータプログラムプロダクト。
[２１]前記第１のアクセスポイントは、ハンドオーバー制限リストを通して、前記閉じられた加入者グループ加入情報を受信する[２０]記載のコンピュータプログラムプロダクト。
[２２]前記コンピュータ読取可能媒体は、前記決定に基づいて、前記第２のアクセスポイントに対してハンドオーバー要求メッセージを前記コンピュータに送らせるためのコードをさらに含み、前記ハンドオーバー要求メッセージは、前記閉じられた加入者グループ加入情報を含む[２０]記載のコンピュータプログラムプロダクト。
[２３]前記コンピュータ読取可能媒体は、前記決定に基づいて、ネットワークノードに対してハンドオーバー必要メッセージを前記コンピュータに送らせるためのコードをさらに含む[２０]記載のコンピュータプログラムプロダクト。
[２４]前記閉じられた加入者グループ加入情報は、少なくとも１つの閉じられた加入者グループ識別子のリストを含み、
前記決定は、前記第２のアクセスポイントに関係付けられている閉じられた加入者グループ識別子が、前記リスト中にあるか否かを決定することを含む[２０]記載のコンピュータプログラムプロダクト。
[２５]通信の方法において、
アクセスポイントにおいて、ハンドオーバー要求メッセージを受信することと、
前記ハンドオーバー要求メッセージに応答して、アクセス端末を前記アクセスポイントにハンドオーバーすることを許可するか否かを決定することとを含み、
前記ハンドオーバー要求メッセージは、前記アクセス端末に対する閉じられた加入者グループ加入情報を含み、
前記決定は、前記閉じられた加入者グループ加入情報に基づくものである方法。
[２６]前記決定は、前記閉じられた加入者グループ加入情報が、前記アクセスポイントに関係付けられている閉じられた加入者グループの識別子を含んでいるか否かを決定することを含む[２５]記載の方法。
[２７]前記閉じられた加入者グループ加入情報は、前記アクセス端末がアクセスすることが許可されている少なくとも１つの閉じられた加入者グループを識別する[２６]記載の方法。
[２８]前記アクセスポイントは、前記ハンドオーバー要求メッセージ中に含まれているハンドオーバー制限リストを通して、前記閉じられた加入者グループ加入情報を受信する[２５]記載の方法。
[２９]前記アクセス端末の前記ハンドオーバーに対するソースアクセスポイントから前記ハンドオーバー要求メッセージを受信する[２５]記載の方法。
[３０]前記アクセスポイントへの前記アクセス端末の前記ハンドオーバーが許可されているか否かの表示を、ネットワークノードから受信することをさらに含む[２５]記載の方法。
[３１]前記ネットワークノードは、モビリティマネージャーを含む[３０]記載の方法。
[３２]ネットワークノードから前記ハンドオーバー要求メッセージを受信する[２５]記載の方法。
[３３]前記ネットワークノードは、モビリティマネージャーを含む[３２]記載の方法。
[３４]前記アクセスポイントは、フェムトアクセスポイントを含む[２５]記載の方法。
[３５]通信のための装置において、
アクセスポイントにおいて、ハンドオーバー要求メッセージを受信するように構成されている通信制御装置と、
前記ハンドオーバー要求メッセージに応答して、アクセス端末を前記アクセスポイントにハンドオーバーすることを許可するか否かを決定するように構成されているハンドオーバー制御装置とを具備し、
前記ハンドオーバー要求メッセージは、前記アクセス端末に対する閉じられた加入者グループ加入情報を含み、
前記決定は、前記閉じられた加入者グループ加入情報に基づくものである装置。
[３６]前記決定は、前記閉じられた加入者グループ加入情報が、前記アクセスポイントに関係付けられている閉じられた加入者グループの識別子を含んでいるか否かを決定することを含む[３５]記載の装置。
[３７]前記アクセスポイントは、前記ハンドオーバー要求メッセージ中に含まれているハンドオーバー制限リストを通して、前記閉じられた加入者グループ加入情報を受信する[３５]記載の装置。
[３８]前記通信制御装置は、前記アクセスポイントへの前記アクセス端末の前記ハンドオーバーが許可されているか否かの表示を、ネットワークノードから受信するようにさらに構成されている[３５]記載の装置。
[３９]前記ネットワークノードは、モビリティマネージャーを含む[３８]記載の装置。
[４０]通信のための装置において、
アクセスポイントにおいて、ハンドオーバー要求メッセージを受信する手段と、
前記ハンドオーバー要求メッセージに応答して、アクセス端末を前記アクセスポイントにハンドオーバーすることを許可するか否かを決定する手段とを具備し、
前記ハンドオーバー要求メッセージは、前記アクセス端末に対する閉じられた加入者グループ加入情報を含み、
前記決定は、前記閉じられた加入者グループ加入情報に基づくものである装置。
[４１]前記決定は、前記閉じられた加入者グループ加入情報が、前記アクセスポイントに関係付けられている閉じられた加入者グループの識別子を含んでいるか否かを決定することを含む[４０]記載の装置。
[４２]前記アクセスポイントは、前記ハンドオーバー要求メッセージ中に含まれているハンドオーバー制限リストを通して、前記閉じられた加入者グループ加入情報を受信する[４０]記載の装置。
[４３]前記アクセスポイントへの前記アクセス端末の前記ハンドオーバーが許可されているか否かの表示を、ネットワークノードから受信する手段をさらに具備する[４０]記載の装置。
[４４]前記ネットワークノードは、モビリティマネージャーを含む[４３]記載の装置。
[４５]コンピュータプログラムプロダクトにおいて、
アクセスポイントにおいて、ハンドオーバー要求メッセージをコンピュータに受信させ、
前記ハンドオーバー要求メッセージに応答して、アクセス端末を前記アクセスポイントにハンドオーバーすることを許可するか否かを前記コンピュータに決定させるためのコードを含むコンピュータ読取可能媒体を具備し、
前記ハンドオーバー要求メッセージは、前記アクセス端末に対する閉じられた加入者グループ加入情報を含み、
前記決定は、前記閉じられた加入者グループ加入情報に基づくものであるコンピュータプログラムプロダクト。
[４６]前記決定は、前記閉じられた加入者グループ加入情報が、前記アクセスポイントに関係付けられている閉じられた加入者グループの識別子を含んでいるか否かを決定することを含む[４５]記載のコンピュータプログラムプロダクト。
[４７]前記アクセスポイントは、前記ハンドオーバー要求メッセージ中に含まれているハンドオーバー制限リストを通して、前記閉じられた加入者グループ加入情報を受信する[４５]記載のコンピュータプログラムプロダクト。
[４８]前記コンピュータ読取可能媒体は、前記アクセスポイントへの前記アクセス端末の前記ハンドオーバーが許可されているか否かの表示を、ネットワークノードから、前記コンピュータに受信させるためのコードをさらに含む[４５]記載のコンピュータプログラムプロダクト。
[４９]前記ネットワークノードは、モビリティマネージャーを含む[４８]記載のコンピュータプログラムプロダクト。